(57)【要約】  本発明は、状態通知方法、装置及びプログラム及び記憶媒体に関するものであり、情報技術の分野に属する。前記方法は、目標装置の使用情報を取得するステップと、前記目標装置の使用情報によって、前記目標装置の現在の消耗量を計算するステップと、前記消耗量が所定の消耗通知閾値に達すると、現在の装置の状態を通知するステップとを含み、前記使用情報は、少なくとも前記目標装置の毎回のオンオフ時間を含む。本発明は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるため、ユーザーの使用経験よりももっと正確であり、消耗量が所定の消耗通知閾値に達すると、適時にユーザーに通知することにより、目標装置が常に正常的に作動するように確保することができる。【選択図】図１
2017505896.tif 000002
【特許請求の範囲】
【請求項１】
目標装置の使用情報を取得するステップと、
前記目標装置の使用情報によって、前記目標装置の現在の消耗量を計算するステップと、
前記消耗量が所定の消耗通知閾値に達すると、現在の装置の状態を通知するステップとを含み、
前記使用情報は、少なくとも前記目標装置の毎回のオンオフ時間を含むことを特徴とする状態通知方法。
【請求項２】
前記目標装置の使用情報を取得するステップは、
ブルートゥース機能を作動させて、ブルートゥース接続を介して、前記目標装置の使用情報を取得するステップ、又は
近距離無線通信ＮＦＣ機能を作動させて、ＮＦＣデータチャンネルを介して、前記目標装置の使用情報を取得するステップ、又は
ルータが転送した前記目標装置の使用情報を受信するステップを含むことを特徴とする請求項１に記載の状態通知方法。
【請求項３】
前記消耗量が所定の消耗通知閾値に達すると、現在の装置の状態を通知するステップは、
データ表示ページを表示するステップと、
前記データ表示ページが表示された消耗量に基づき、前記消耗量が所定の消耗通知閾値に達すると、現在の装置の状態を通知するステップとを含み、
前記データ表示ページは、前記目標装置の現在の消耗量を表示するためのものであることを特徴とする請求項１に記載の状態通知方法。
【請求項４】
前記消耗量が所定の消耗通知閾値に達すると、現在の装置の状態を通知するステップは、
前記消耗量が第１の閾値に達すると、第１の通知方式により 、現在の装置の状態を通知するステップと、
前記消耗量が第２の閾値に達すると、第２の通知方式により、現在の装置の状態を通知するステップと、
前記消耗量が第３の閾値に達すると、第３の通知方式により、現在の装置の状態を通知するステップとを含み、
前記第１の閾値は前記第２の閾値よりも小さく、前記第２の閾値は前記第３の閾値よりも小さいことを特徴とする請求項３に記載の状態通知方法。
【請求項５】
前記目標装置の使用情報によって、前記目標装置の現在の消耗量を計算するステップは、
前記目標装置の毎回のオンオフ時間を取得するステップと、
前記目標装置の毎回のオンオフ時間を累算して前記目標装置の理論使用時間を取得するステップと、
前記目標装置の理論使用時間、及び前記目標装置の使用寿命により、前記目標装置の現在の消耗量を計算するステップとを含むことを特徴とする請求項１に記載の状態通知方法。
【請求項６】
前記目標装置の環境データを取得するステップをさらに含み、
前記目標装置の使用情報によって、前記目標装置の現在の消耗量を計算するステップは、
前記目標装置の毎回のオンオフ時間内の環境データによって、毎回オンオフする時間の環境の重みを確定するステップと、
前記目標装置の毎回のオンオフ時間及び対応する環境の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする請求項１に記載の状態通知方法。
【請求項７】
前記目標装置の作業レベルを取得するステップをさらに含み、
前記目標装置の使用情報によって、前記目標装置の現在の消耗量を計算するステップは、
前記目標装置の毎回のオンオフ時間内の作業レベルによって、毎回オンオフするレベルの重みを確定するステップと、
前記目標装置の毎回のオンオフ時間及び対応するレベルの重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする請求項１に記載の状態通知方法。
【請求項８】
前記目標装置の作業面積を取得するステップをさらに含み、
前記目標装置の使用情報によって、前記目標装置の現在の消耗量を計算するステップは、
前記目標装置の毎回のオンオフ時間内の作業面積によって、毎回オンオフする時間の面積の重みを確定するステップと、
前記目標装置の毎回のオンオフ時間及び対応する面積の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする請求項１に記載の状態通知方法。
【請求項９】
ユーザーアカウントの消費記録を取得するステップと、
前記現在の消耗量、前記使用情報及び前記ユーザーアカウントの消費記録によって、前記目標装置の交替警告消耗量を確定するステップと、
前記消耗量が前記交替警告消耗量に達すると、購入ショートカットオプションを表示するステップとを含み、
前記購入ショートカットオプションは、前記目標装置の購入リンクに移行するためのものであることを特徴とする請求項１から請求項８のいずれか１項に記載の状態通知方法。
【請求項１０】
前記現在の消耗量、前記使用情報及び前記ユーザーアカウントの消費記録によって、前記目標装置の交替警告消耗量を確定するステップは、
前記使用情報及び前記現在の消耗量によって、残り使用日数を確定するステップと、
前記のユーザーアカウントの消費記録中の売り手の出荷先住所及びユーザーの受取先住所によって、配送時間を確定するステップと、
前記残り使用日数及び前記配送時間によって、前記目標装置の前記交替警告消耗量を確定するステップとを含むことを特徴とする請求項９に記載の状態通知方法。
【請求項１１】
目標装置の使用情報を取得する第１の取得モジュールと、
前記目標装置の使用情報によって、前記目標装置の現在の消耗量を計算する計算モジュールと、
前記消耗量が所定の消耗通知閾値に達すると、現在の装置の状態を通知する通知モジュールとを含み、
前記使用情報は、少なくとも前記目標装置の毎回のオンオフ時間を含むことを特徴とする状態通知装置。
【請求項１２】
前記第１の取得モジュールは、ブルートゥース機能を作動させて、ブルートゥース接続を介して前記目標装置の使用情報を取得したり、
近距離無線通信ＮＦＣ機能を動作させて、ＮＦＣデータチャンネルを介して前記目標装置の使用情報を取得したり、
ルータが転送した前記目標装置の使用情報を受信するように構成されることを特徴とする請求項１１に記載の状態通知装置。
【請求項１３】
前記通知モジュールは、データ表示ページを表示し、前記データ表示ページが表示された消耗量に基づき、前記消耗量が所定の消耗通知閾値に達すると、現在の装置の状態を通知するように構成され、
前記データ表示ページは、前記目標装置の現在の消耗量を表示するためのものであることを特徴とする請求項１１に記載の状態通知装置。
【請求項１４】
前記通知モジュールは、具体的には、前記消耗量が第１の閾値に達すると、第１の通知方式により 、現在の装置の状態を通知し、前記消耗量が第２の閾値に達すると、第２の通知方式により、現在の装置の状態を通知し、前記消耗量が第３の閾値に達すると、第３の通知方式により、現在の装置の状態を通知するように構成され、
前記第１の閾値は前記第２の閾値よりも小さく、前記第２の閾値は前記第３の閾値よりも小さいことを特徴とする請求項１３に記載の状態通知装置。
【請求項１５】
前記計算モジュールは、前記目標装置の毎回のオンオフ時間を取得し、前記目標装置の毎回のオンオフ時間を累算して前記目標装置の理論使用時間を取得し、前記目標装置の理論使用時間及び前記目標装置の使用寿命により、前記目標装置の現在の消耗量を計算するように構成されることを特徴とする請求項１１に記載の状態通知装置。
【請求項１６】
前記目標装置の環境データを取得する第２の取得モジュールをさらに含み、
前記計算モジュールは、前記目標装置の毎回のオンオフ時間内の環境データによって、毎回オンオフする時間の環境の重みを確定し、前記目標装置の毎回のオンオフ時間及び対応する環境の重みの積を累算して前記目標装置の実際使用時間を取得し、前記目標装置の実際使用時間、及び前記目標装置の使用寿命により、前記目標装置の現在の消耗量を計算するように構成されることを特徴とする請求項１１に記載の状態通知装置。
【請求項１７】
前記目標装置の作業レベルを取得する第３の取得モジュールをさらに含み、
前記計算モジュールは、前記目標装置の毎回のオンオフ時間内の作業レベルによって、毎回オンオフする時間のレベルの重みを確定し、前記目標装置の毎回のオンオフ時間及び対応するレベルの重みの積を累算して前記目標装置の実際使用時間を取得し、前記目標装置の実際使用時間、及び前記目標装置の使用寿命により、前記目標装置の現在の消耗量を計算するように構成されることを特徴とする請求項１１に記載の状態通知装置。
【請求項１８】
前記目標装置の作業面積を取得する第４の取得モジュールをさらに含み、
前記計算モジュールは、前記目標装置の毎回のオンオフ時間内の作業面積によって、毎回オンオフする時間の面積の重みを確定し、前記目標装置の毎回のオンオフ時間及び対応する面積の重みの積を累算して前記目標装置の実際使用時間を取得し、前記目標装置の実際使用時間、及び前記目標装置の使用寿命により、前記目標装置の現在の消耗量を計算するように構成されることを特徴とする請求項１１に記載の状態通知装置。
【請求項１９】
ユーザーアカウントの消費記録を取得する第５の取得モジュールと、
前記現在の消耗量、前記使用情報及び前記ユーザーアカウントの消費記録によって、前記目標装置の交替警告消耗量を確定する確定モジュールと、
前記消耗量が前記交替警告消耗量に達すると、購入ショートカットオプションを表示する表示モジュールとをさらに含み、
前記購入ショートカットオプションは、前記目標装置の購入リンクに移行するためのものであることを特徴とする請求項１１から請求項１８のいずれか１項に記載の状態通知装置。
【請求項２０】
前記確定モジュールは、前記使用情報及び前記現在の消耗量によって残り使用日数を確定し、前記ユーザーアカウントの消費記録中の売り手の出荷先住所及びユーザーの受取先住所によって配送時間を確定し、前記残り使用日数及び前記配送時間によって、前記目標装置の交換早期警報の消耗量を確定するように構成されることを特徴とする請求項１９に記載の状態通知装置。
【請求項２１】
プロセッサと、
プロセッサが実行可能な命令を記憶するメモリとを含み、
前記プロセッサは、
目標装置の使用情報を取得し、
前記目標装置の使用情報によって前記目標装置の現在の消耗量を計算し、
前記消耗量が所定の消耗通知閾値に達すると、現在の装置の状態を通知するように構成され、
前記使用情報は、少なくとも前記目標装置の毎回のオンオフ時間を含むことを特徴とする状態通知装置。
【発明の詳細な説明】
【技術分野】
【０００１】
本発明は、情報技術の分野に関し、特に、状態通知方法及び装置に関する。
【背景技術】
【０００２】
大気汚染が厳しくなるにつれて、ますます多くのユーザーが空気清浄機を使用して居住環境の空気品質を改善している。空気清浄機において、フィルターは核心部品であり、空気清浄機の浄化効果が直接影響される。使用時間の増加に応じて、空気清浄機のフィルターは徐々に消耗するが、多くのユーザーはフィルターの現状を把握できないため、フィルターを適時に交換せず、空気清浄機が正常に動作できなくなり、ユーザーの居住環境の空気を浄化することができなくなる。良い居住環境のために、空気清浄機が正常に動作するように、空気清浄機のフィルターの状態を通知する必要がある。
【発明の概要】
【発明が解決しようとする課題】
【０００３】
本発明は、関連する技術に存在する上記問題を克服するために、状態通知方法及び装置を提供する。
【課題を解決するための手段】
【０００４】
本発明の第１の態様の第１の方面に係る状態通知方法は、
目標装置の使用情報を取得するステップと、
前記目標装置の使用情報によって、前記目標装置の現在の消耗量を計算するステップと、
前記消耗量が所定の消耗通知閾値に達すると、現在の装置の状態を通知するステップとを含み、
前記使用情報は、少なくとも前記目標装置の毎回のオンオフ時間を含むことを特徴とする。
【０００５】
第１の態様の第１の方面に加え、第２の方面に係る状態通知方法は、
前記目標装置の使用情報を取得するステップは、
ブルートゥース（登録商標）機能を作動させて、ブルートゥース接続を介して前記目標装置の使用情報を取得するステップ、又は
ＮＦＣ（Ｎｅａｒ Ｆｉｅｌｄ Ｃｏｍｍｕｎｉｃａｔｉｏｎ、近距離無線通信）機能を作動して、ＮＦＣデータチャンネルを介して前記目標装置の使用情報を取得するステップ、又は
ルータが転送した前記目標装置の使用情報を受信するステップを含むことを特徴とする。
【０００６】
第１の態様の第１の方面に加え、第３の方面に係る状態通知方法は、
前記消耗量が所定の消耗通知閾値に達すると、現在の装置の状態を通知するステップは、
データ表示ページを表示するステップと、
前記データ表示ページが表示された消耗量に基づき、前記消耗量が所定の消耗通知閾値に達すると、現在の装置の状態を通知するステップとを含み、
前記データ表示ページは、前記目標装置の現在の消耗量を表示するためのものであることを特徴とする。
【０００７】
第１の態様の第３の方面に加え、第４の方面に係る状態通知方法は、
前記消耗量が所定の消耗通知閾値に達すると、現在の装置の状態を通知するステップは、
前記消耗量が第１の閾値に達すると、第１の通知方式により 、現在の装置の状態を通知するステップと、
前記消耗量が第２の閾値に達すると、第２の通知方式により、現在の装置の状態を通知するステップと、
前記消耗量が第３の閾値に達すると、第３の通知方式により、現在の装置の状態を通知するステップとを含み、
前記第１の閾値は前記第２の閾値よりも小さく、前記第２の閾値は前記第３の閾値よりも小さいことを特徴とする。
【０００８】
第１の態様の第１の方面に加え、第５の方面に係る状態通知方法は、
前記目標装置の使用情報によって、前記目標装置の現在の消耗量を計算するステップは、
前記目標装置の毎回のオンオフ時間を取得するステップと、
前記目標装置の毎回のオンオフ時間を累算して前記目標装置の理論使用時間を取得するステップと、
前記目標装置の理論使用時間、及び前記目標装置の使用寿命により、前記目標装置の現在の消耗量を計算するステップとを含むことを特徴とする。
【０００９】
第１の態様の第１の方面に加え、第６の方面に係る状態通知方法は、
前記目標装置の環境データを取得するステップをさらに含み、
前記目標装置の使用情報によって、前記目標装置の現在の消耗量を計算するステップは、
前記目標装置の毎回のオンオフ時間内の環境データによって、毎回オンオフする時間の環境の重みを確定するステップと、
前記目標装置の毎回のオンオフ時間及び対応する環境の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする。
【００１０】
第１の態様の第１の方面に加え、第７の方面に係る状態通知方法は、
前記目標装置の作業レベルを取得するステップをさらに含み、
前記目標装置の使用情報によって、前記目標装置の現在の消耗量を計算するステップは、
前記目標装置の毎回のオンオフ時間内の作業レベルによって、毎回オンオフするレベルの重みを確定するステップと、
前記目標装置の毎回のオンオフ時間及び対応するレベルの重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする。
【００１１】
第１の態様の第１の方面に加え、第８の方面に係る状態通知方法は、
前記目標装置の作業面積を取得するステップをさらに含み、
前記目標装置の使用情報によって、前記目標装置の現在の消耗量を計算するステップは、
前記目標装置の毎回のオンオフ時間内の作業面積によって、毎回オンオフする時間の面積の重みを確定するステップと、
前記目標装置の毎回のオンオフ時間及び対応する面積の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする。
【００１２】
第１の態様の第１の方面から第８の方面に加え、第９の方面に係る状態通知方法は、
ユーザーアカウントの消費記録を取得するステップと、
前記現在の消耗量、前記使用情報及び前記ユーザーアカウントの消費記録によって、前記目標装置の交替警告消耗量を確定するステップと、
消耗量が前記交替警告消耗量に達すると、購入ショートカットオプションを表示するステップとを含み、
前記購入ショートカットオプションは、前記目標装置の購入リンクに移行するためのものであることを特徴とする。
【００１３】
第１の態様の第９の方面に加え、第１０の方面に係る状態通知方法は、
前記現在の消耗量、前記使用情報及び前記ユーザーアカウントの消費記録によって、前記目標装置の交替警告消耗量を確定するステップは、
前記使用情報及び前記現在の消耗量によって、残り使用日数を確定するステップと、
前記のユーザーアカウントの消費記録中の売り手の出荷先住所及びユーザーの受取先住所によって、配送時間を確定するステップと、
前記残り使用日数及び前記配送時間によって、前記目標装置の前記交替警告消耗量を確定するステップとを含むことを特徴とする。
【００１４】
本発明の第２の態様の第１の方面に係る状態通知装置は、
目標装置の使用情報を取得する第１の取得モジュールと、
前記目標装置の使用情報によって、前記目標装置の現在の消耗量を計算する計算モジュールと、
前記消耗量が所定の消耗通知閾値に達すると、現在の装置の状態を通知する通知モジュールとを含み、
前記使用情報は、少なくとも前記目標装置の毎回のオンオフ時間を含むことを特徴とする。
【００１５】
前記第２の態様の第１の方面に加え、第２の方面に係る状態通知装置は、
前記第１の取得モジュールは、ブルートゥース機能を作動させて、ブルートゥース接続を介して前記目標装置の使用情報を取得したり、近距離無線通信ＮＦＣ機能を動作させて、ＮＦＣデータチャンネルを介して前記目標装置の使用情報を取得したり、ルータが転送した前記目標装置の使用情報を受信するように構成されることを特徴とする。
【００１６】
前記第２の態様の第１の方面に加え、第３の方面に係る状態通知装置は、
前記通知モジュールは、データ表示ページを表示し、前記データ表示ページが表示された消耗量に基づき、前記消耗量が所定の消耗通知閾値に達すると、現在の装置の状態を通知するように構成され、
前記データ表示ページは、前記目標装置の現在の消耗量を表示するためのものであることを特徴とする。
【００１７】
前記第２の態様の第３の方面に加え、第４の方面に係る状態通知装置は、
前記通知モジュールは、具体的には、前記消耗量が第１の閾値に達すると、第１の通知方式により 、現在の装置の状態を通知し、前記消耗量が第２の閾値に達すると、第２の通知方式により、現在の装置の状態を通知し、前記消耗量が第３の閾値に達すると、第３の通知方式により、現在の装置の状態を通知するように構成され、
前記第１の閾値は前記第２の閾値よりも小さく、前記第２の閾値は前記第３の閾値よりも小さいことを特徴とする。
【００１８】
前記第２の態様の第１の方面に加え、第５の方面に係る状態通知装置は、
前記計算モジュールは、前記目標装置の毎回のオンオフ時間を取得し、前記目標装置の毎回のオンオフ時間を累算して前記目標装置の理論使用時間を取得し、前記目標装置の理論使用時間及び前記目標装置の使用寿命により、前記目標装置の現在の消耗量を計算するように構成されることを特徴とする。
【００１９】
前記第２の態様の第１の方面に加え、第６の方面に係る状態通知装置は、
前記目標装置の環境データを取得する第２の取得モジュールをさらに含み、
前記計算モジュールは、前記目標装置の毎回のオンオフ時間内の環境データによって毎回オンオフする時間の環境の重みを確定し、前記目標装置の毎回のオンオフ時間及び対応する環境の重みの積を累算して前記目標装置の実際使用時間を取得し、前記目標装置の実際使用時間、及び前記目標装置の使用寿命により、前記目標装置の現在の消耗量を計算するように構成されることを特徴とする。
【００２０】
前記第２の態様の第１の方面に加え、第７の方面に係る状態通知装置は、
前記目標装置の作業レベルを取得する第３の取得モジュールをさらに含み、
前記計算モジュールは、前記目標装置の毎回のオンオフ時間内の作業レベルによって毎回オンオフする時間のレベルの重みを確定し、前記目標装置の毎回のオンオフ時間及び対応するレベル重みの積を累算して前記目標装置の実際使用時間を取得し、前記目標装置の実際使用時間、及び前記目標装置の使用寿命により、前記目標装置の現在の消耗量を計算するように構成されることを特徴とする。
【００２１】
前記第２の態様の第１の方面に加え、第８の方面に係る状態通知装置は、
前記目標装置の作業面積を取得する第４の取得モジュールをさらに含み、
前記計算モジュールは、前記目標装置の毎回のオンオフ時間内の作業面積によって毎回オンオフする時間の面積の重みを確定し、前記目標装置の毎回のオンオフ時間及び対応する面積の重みの積を累算して前記目標装置の実際使用時間を取得し、前記目標装置の実際使用時間、及び前記目標装置の使用寿命により、前記目標装置の現在の消耗量を計算するように構成されることを特徴とする。
【００２２】
第２の態様の第１の方面から第８の方面に加え、第９の方面に係る状態通知装置は、
ユーザーアカウントの消費記録を取得する第５の取得モジュールと、
前記現在の消耗量、前記使用情報及び前記ユーザーアカウントの消費記録によって、前記目標装置の交替警告消耗量を確定する確定モジュールと、
消耗量が前記交替警告消耗量に達すると、購入ショートカットオプションを表示する表示モジュールとをさらに含み、
前記購入ショートカットオプションは、前記目標装置の購入リンクに移行するためのものであることを特徴とする。
【００２３】
前記第２の態様の第９の方面に加え、第１０の方面に係る状態通知装置は、
前記確定モジュールは、前記使用情報及び前記現在の消耗量によって残り使用日数を確定し、前記ユーザーアカウントの消費記録中の売り手の出荷先住所及びユーザーの受取先住所によって配送時間を確定し、前記残り使用日数及び前記配送時間によって、前記目標装置の交換早期警報の消耗量を確定するように構成されることを特徴とする。
【００２４】
本発明の第３の態様に係る状態通知装置は、
プロセッサと、
プロセッサが実行可能な命令を記憶するメモリとを含み、
前記プロセッサは、
目標装置の使用情報を取得し、
前記目標装置の使用情報によって、前記目標装置の現在の消耗量を計算し、
前記消耗量が所定の消耗通知閾値に達すると、現在の装置の状態を通知するように構成され、
前記使用情報は、少なくとも前記目標装置の毎回のオンオフ時間を含むことを特徴とする。
【発明の効果】
【００２５】
本発明の実施形態に係る技術方案によれば、以下のような有益な効果を獲得することができる。
即ち、
少なくとも目標装置の毎回のオンオフ時間を含む使用情報を取得し、目標装置の使用情報によって目標装置の現在の消耗量を計算し、消耗量が所定の消耗量通知閾値に達すると、現在の装置の状態を通知する。目標装置の現在の消耗量は、使用情報によって計算されて取得したものであるので、ユーザーの使用経験よりも正確であり、消耗量が所定の消耗通知閾値に達すると、ユーザーに適時に通知して、目標装置が常に正常の動作状態になるように確保することができる。
【図面の簡単な説明】
【００２６】
なお、以上の一般的な記載及び後述の詳細な記述は単に例示的なものに過ぎず、本発明を限定しようとするものではない。
添付された図面は、明細書に合併されて明細書の一部になり、本発明に合致する実施形態を示し、明細書と一緒に本発明の原理を説明する。
【００２７】
【図１】本発明の実施形態に係る状態通知方法を示すフローチャートである。
【図２】本発明の実施形態に係る状態通知方法を示すフローチャートである。
【図３】本発明の実施形態に係る端末の表示インターフェースを示す説明図である。
【図４】本発明の実施形態に係る端末の表示インターフェースを示す説明図である。
【図５】本発明の実施形態に係る端末の表示インターフェースを示す説明図である。
【図６】本発明の実施形態に係る端末の表示インターフェースを示す説明図である。
【図７】本発明の実施形態に係る状態通知装置の構造を示す説明図である。
【図８】本発明の実施形態に係る状態通知装置を示すブロック図である。
【発明を実施するための形態】
【００２８】
ここで、本発明の実施形態について詳細に説明し、その事例は図面に示される。以下の記述が図面に関連するときに、別の表示がない場合、異なる図の同じ番号は同じ又は似ている要素を表示する。以下の一実施形態で述べた実施形態は、本発明と一致したすべての実施形態を代表するものではなく、添付された特許請求の範囲に記載された本発明のいくつかの方面と一致した装置及び方法の例である。
【００２９】
図１は、本発明の実施形態による状態通知方法のフローチャートである。図１に示すように、状態通知方法は、端末に適用され、以下のようなステップを含む。
ステップＳ１０１：目標装置の使用情報を取得する。使用情報は、少なくとも目標装置の毎回のオンオフ時間を含む。
ステップＳ１０２：目標装置の使用情報によって、目標装置の現在の消耗量を計算する。
ステップＳ１０３：消耗量が所定の消耗通知閾値に達すると、現在の装置の状態を通知する。
【００３０】
本発明の実施形態による方法は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は、使用情報によって計算されて取得したものであるため、ユーザーの使用経験より、もっと正確であり、消耗量が所定の消耗通知閾値に達すると、適時にユーザーに通知することにより、目標装置が常に正常に作動するように確保することができる。
【００３１】
本発明の実施形態では、目標装置の使用情報を取得するステップは、
ブルートゥース機能を作動させて、ブルートゥース接続を介して目標装置の使用情報を取得するステップ、又は
近距離無線通信ＮＦＣ機能を動作させて、ＮＦＣデータチャンネルを介して目標装置の使用情報を取得するステップ、又は
ルータが転送した目標装置の使用情報を受信するステップを含む。
【００３２】
本発明の実施形態では、消耗量が所定の消耗通知閾値に達すると、現在の装置の状態を通知するステップは、
データ表示ページを表示するステップと、
データ表示ページが表示された消耗量に基づき、消耗量が所定の消耗通知閾値に達すると、現在の装置の状態を通知するステップとを含み、
前記データ表示ページは、目標装置の現在の消耗量を表示するために用いられる。
【００３３】
本発明の実施形態では、消耗量が所定の消耗通知閾値に達すると、現在の装置の状態を通知するステップは、
消耗量が第１の閾値に達すると、第１の通知方式により 、現在の装置の状態を通知するステップと、
消耗量が第２の閾値に達すると、第２の通知方式により、現在の装置の状態を通知するステップと、
消耗量が第３の閾値に達すると、第３の通知方式により、現在の装置の状態を通知するステップを含む。
ここで、第１の閾値は第２の閾値よりも小さく、第２の閾値は、第３の閾値よりも小さい。
【００３４】
本発明の実施形態では、目標装置の使用情報によって、目標装置の現在の消耗量を計算するステップは、
目標装置の毎回のオンオフ時間を取得するステップと、
目標装置の毎回のオンオフ時間を累算して目標装置の理論使用時間を取得するステップと、
目標装置の理論使用時間及び目標装置の使用寿命により、目標装置の現在の消耗量を計算するステップとを含む。
【００３５】
本発明の実施形態では、当該方法は、
目標装置の環境データを取得するステップをさらに含み、
目標装置の使用情報によって、目標装置の現在の消耗量を計算するステップは、
目標装置の毎回のオンオフ時間内の環境データによって、毎回オンオフする時間の環境の重みを確定するステップと、
目標装置の毎回のオンオフ時間及び対応する環境の重みの積を累算して目標装置の実際使用時間を取得するステップと、
目標装置の実際使用時間及び目標装置の使用寿命により、目標装置の現在の消耗量を計算するステップとを含む。
【００３６】
本発明の実施形態では、当該方法は、
目標装置の作業レベルを取得するステップをさらに含み、
目標装置の使用情報によって、目標装置の現在の消耗量を計算するステップは、
目標装置の毎回のオンオフ時間内の作業レベルによって、毎回オンオフする時間のレベルの重みを確定するステップと、
目標装置の毎回のオンオフ時間及び対応するレベルの重みの積を累算して目標装置の実際使用時間を取得するステップと、
目標装置の実際使用時間及び目標装置の使用寿命により、目標装置の現在の消耗量を計算するステップを含む。
【００３７】
本発明の実施形態では、当該方法は、
目標装置の作業面積を取得する方法をさらに含み、
目標装置の使用情報によって、目標装置の現在の消耗量を計算するステップは、
目標装置の毎回のオンオフ時間内の作業面積によって、毎回オンオフする時間の面積の重みを確定するステップと、
目標装置の毎回のオンオフ時間及び対応する面積の重みの積を累算して目標装置の実際使用時間を取得するステップと、
目標装置の実際使用時間及び目標装置の使用寿命により、目標装置の現在の消耗量を計算するステップを含む。
【００３８】
本発明の実施形態では、当該方法は、
ユーザーアカウントの消費記録を取得するステップと、
現在の消耗量、使用情報及びユーザーアカウントの消費記録によって、目標装置の交替警告消耗量を確定するステップと、
消耗量が交替警告消耗量に達すると、購入ショートカットオプションを表示するステップとを含み、
前記購入ショートカットオプションは、目標装置の購入リンクに移行するために用いられる。
【００３９】
本発明の実施形態では、現在の消耗量、使用情報及びユーザーアカウントの消費記録によって、目標装置の交替警告消耗量を確定するステップは、
使用情報及び現在の消耗量によって、残り使用日数を確定するステップと、
ユーザーアカウントの消費記録中の売り手の出荷先住所及びユーザーの受取先住所によって配送時間を確定するステップと、
残り使用日数及び配送時間によって、目標装置の交替警告消耗量を確定するステップとを含む。
【００４０】
上述した選択可能なすべての技術案は、任意の結合により、本発明の選択可能な実施形態を形成することができるが、ここでは言及しない。
【００４１】
図２は、本発明の実施形態による状態通知方法を示すフローチャートである。図２に示すような状態通知方法は、端末に適用され、以下のようなステップを含む。
【００４２】
ステップＳ２０１：目標装置の使用情報を取得する。
ここで、端末は、携帯電話、タブレットＰＣなどであってもよい。また、目標装置は、空気清浄機などであってもよい。本実施形態は、端末や、目標装置のタイプについて具体的に限定しない。
【００４３】
端末と目標装置が備えた機能がそれぞれ異なるので、端末の使用情報を取得する過程は、以下のような状況に分けることができる。
【００４４】
本発明の実施形態では、目標装置は、記録機能を備えて、オンオフ回数、毎回オンオフする時間及び作業レベルを自動的に記録することができる。また、携帯電話は、照会機能を備えて、クラウドから空気品質を照会することができ、相応の環境データを取得することができる。
【００４５】
本発明の他の実施形態では、目標装置は、記録及びモニターリング機能をさらに具備して、オンオフ回数、毎回オンオフする時間、オンオフするレベルを自動的に記録することができ、毎回オンオフする時間内の空気品質をモニターリングして、空気品質を表示する環境データを取得することができ、取得した各種データを端末に出力することができる。また、端末は、記憶機能を備えて、目標装置が出力した各種データを記憶することができる。
【００４６】
本発明のまた他の実施形態では、目標装置は、記録、モニターリング、記憶機能をさらに具備して、オンオフ回数、毎回オンオフする時間及び作業レベルを自動的に記録し、毎回オンオフする時間内の空気品質をモニターリングして、環境データを取得し、取得したデータをメモリ、フラッシュメモリなどの記憶ユニットに記憶することができる。また、端末は、データ取得能力を備えて、目標装置から少なくとも目標装置の毎回のオンオフ時間などを含む使用情報を取得することができる。
【００４７】
本実施形態では、端末と目標装置は、ＲＦ（Ｒａｄｉｏ Ｆｒｅｑｕｅｎｃｙ）又はネットワークを介して他の装置と通信する能力を備える。この能力に基づき、目標装置の使用情報を取得する場合、端末は、ブルートゥース機能を作動し、ブルートゥース接続を介して目標装置と通信することができ、通信過程で目標装置の使用情報を取得することができる。また、端末もＮＦＣ機能を動作し、目標装置とＮＦＣデータチャンネルを確立し、ＮＦＣデータチャンネルを介して目標装置の使用情報を取得することができる。また、端末は、ルータを介して目標装置と無線ＬＡＮ（Ｌｏｃａｌ Ａｒｅａ Ｎｅｔｗｏｒｋ）を確立し、ＬＡＮ内で、ルータが転送した目標装置の使用情報を受信することもできる。なお、前記のいくつかの方式の他に、端末は他の方式を採用して目標装置の使用情報を取得することもできるが、ここでは言及しない。
【００４８】
ステップＳ２０２：端末は、目標装置の使用情報によって目標装置の現在の消耗量を計算する。
目標装置の使用情報は、目標装置の実際使用状況を正確に反映することができる。端末は、目標装置の使用情報によって、目標装置の現在の消耗量を算出することができる。目標装置の現在の消耗量は、目標装置の状態を通知し、ユーザーに良い居住環境を提供する重要な要素であるため、目標装置の消耗が大きすぎて通常の操作を行うことができない状況を避けるために、端末は目標装置の使用情報を取得した後、目標装置の使用情報によって、目標装置の現在の消耗量を計算する。
【００４９】
端末は、目標装置の使用情報によって、目標装置の現在の消耗量を計算するときに以下のようなステップ（１）からステップ（３）を採用することができる。
【００５０】
（１）端末は、目標装置の使用情報から目標装置の毎回のオンオフ時間を取得する。
ここで、オンオフする時間は、オン時間やオフ時間であってもよいが、オンとオフの間の使用時間であってもよい。本発明のすべての実施形態では、オンオフ時間をオンとオフの間の使用時間に設定される。端末は、使用情報に含まれている目標装置のオンオフ時間に基づき、目標装置の使用情報から目標装置のオンオフ時間を直接取得することができる。
【００５１】
（２）端末は、取得した目標装置の毎回のオンオフ時間を累算して目標装置の理論使用時間を取得する。
端末は、他の外的要因の影響を考慮しない状況で、取得した目標装置の毎回のオンオフ時間を累算して目標装置の理論使用時間を取得することができる。
【００５２】
例えば、目標装置の毎回のオンオフ時間を累算して目標装置の理論使用時間を取得する過程について、以下の表１に示した目標装置の使用情報を例として詳細に説明する。
【００５３】
【表１】
2017505896.tif 000003
【００５４】
表１から、端末は取得した目標装置が１０回オンオフする時間を累算して目標装置の理論使用時間＝３＋８＋４.５＋５.５＋１０＋１３＋５＋２＋３＋７=６２時間を取得する。
【００５５】
（３）端末は、目標装置の理論使用時間及び目標装置の使用寿命によって、目標装置の現在の消耗量を計算する。
【００５６】
本実施形態において、目標装置の使用寿命は、目標装置の性能を反映し、目標装置の製造元が目標装置をテストして取得した目標装置の平均寿命である。当該目標装置の使用寿命は３０００時間、５０００時間などであってもよい。端末は、目標装置の理論使用時間を取得した後、目標装置の理論使用時間と目標装置の使用寿命を比較して、目標装置の理論使用時間と目標装置の使用寿命の割合を取得して、目標装置の現在の消耗量を取得する。
【００５７】
例えば、目標装置の使用寿命が５０００時間であり、端末が取得した目標装置の毎回のオンオフ時間を累算して取得した目標装置の理論使用時間が３０００時間であれば、目標装置の現在の消耗量=目標装置の理論使用時間／目標装置の使用寿命=３０００／５０００=６０％である。即ち、目標装置の現在の消耗量は６０％である。
【００５８】
実際の応用において、目標装置の現在の消耗量は、例えば目標装置の作業環境、目標装置の作業レベル、目標装置の作業面積等の様々な要素と関連する。端末は、前記いくつかの要素の影響を考慮して、目標装置の現在の消耗量を計算する際、影響を与える要因によって、以下の（１）乃至（３）中のいずれか一つの状況に基づいて計算する。
【００５９】
（１）目標装置の作業環境を考慮する。
本実施形態では、目標装置が異なる環境で作業するとき、目標装置の消耗量は異なる。例えば、良好な環境で作業するときの目標装置の消耗量が比較的小さく、劣悪な環境での作業のとき、目標装置の消耗量が比較的大きい。また、本実施形態では、異なる環境が目標装置の消耗量への影響を容易に計算するために、異なる環境ごとに対応する環境データは異なる。ここで、目標装置の環境データは、微粒子の濃度データ、汚染物質の濃度データなどであってもよい。
【００６０】
本実施形態では、クラウドに環境データが記憶されることができ、端末にも環境データが記憶されることができるので、環境データがクラウドに記憶されると、端末は、クラウドから環境データを取得することができる。また、環境データが端末に記憶されると、端末は、それ自体の記憶ユニットから環境データを直接取得することができる。
【００６１】
目標装置の現在の消耗量をより正確に計算するために、端末は、取得した環境データに基づき、目標装置の使用情報によって、目標装置の現在の消耗量を計算する際に、以下の（１．１）〜（１．３）のプロセスを採用することができる。
【００６２】
（１．１）端末は、目標装置の毎回のオンオフ時間内の環境データによって、毎回オンオフする時間の環境の重みを確定する。
【００６３】
本実施形態に提供される方法は、目標装置の現在の消耗量を計算する前に、目標装置の所在地の環境に対して、長期間モニターリングして、目標装置の所在地の代表的ないくつかの環境データを取得し、環境データが表示する環境品質によって、異なる環境データごとに異なる環境の重みを付与する。具体的には、異なる環境データごとに異なる環境の重みを付与する際、環境品質が良好な環境データに比較的小さな環境の重みを付与し、環境品質が比較的悪い環境データに比較的大きな環境の重みを付与する。異なる環境データごとに異なる環境の重みを付与することで、環境データと環境の重みの間に対応関係が形成される。そして、後の応用が容易になるように、本実施形態に係る方法は、異なる環境データごとに異なる環境の重みを設定した後、環境データと環境の重みの対応関係をさらに記憶する。環境データと環境の重みの対応関係を記憶する場合、端末は、環境データと環境の重みの対応関係をローカルに記憶してもよいが、クラウドに記憶してもよい。
【００６４】
環境データと環境の重みの対応関係に基づき、端末は、目標装置の毎回のオンオフ時間内の環境データを取得した後、環境データと環境の重みの対応関係から、毎回オンオフする時間内の環境の重みを照会することができる。
【００６５】
（１．２）端末は、目標装置の毎回のオンオフ時間及び対応する環境の重みの積を累算して目標装置の実際使用時間を取得する。
【００６６】
目標装置の実際使用時間は、目標装置が毎回オンオフ時間に関連するだけではなく、毎回オンオフする時間に対応する環境の重みとも関連するので、目標装置の毎回のオンオフ時間及び対応する環境の重みの積を累算して、目標装置の実際使用時間を取得することができる。
【００６７】
例えば、端末が、目標装置の毎回オンオフする時間と対応する環境の重みの積を累算して目標装置の実際使用時間を取得する過程について、以下の表２に示される目標装置の使用情報と対応する環境の重みを例として詳細に説明する。
【００６８】
【表２】
2017505896.tif 000004
【００６９】
前記表２に示したデータに基づき、目標装置の実際使用時間＝５×３＋３×２＋７×４＋２.５×２＋４×３＝６６時間である。
【００７０】
（１．３）端末は、目標装置の実際使用時間及び目標装置の使用寿命によって、目標装置の現在の消耗量を計算する。
【００７１】
目標装置の実際使用時間を取得した後、端末は、目標装置の実際使用時間と目標装置の使用寿命の割合を取得して目標装置の現在の消耗を取得する。
【００７２】
例えば、目標装置の使用寿命が５０００時間であり、端末が取得した目標装置の毎回のオンオフ時間及び対応する環境の重みの積を累算して取得した目標装置の実際使用時間が１０００時間であれば、目標装置の現在の消耗量=目標装置の実際使用時間／目標装置の使用寿命=１０００／５０００=２０％、即ち、目標装置の現在の消耗量は２０％である。
【００７３】
（２）目標装置の作業レベルを考慮する。
本実施形態において、目標装置の作業レベルは、一般的なレベル、強力レベル、睡眠レベルなどである。目標装置が、異なる作業レベルで作業するとき、目標装置の消耗量が異なる。例えば、目標装置が一般的レベルで作業するときの目標装置の消耗量が比較的小さく、目標装置が強力レベルで作業するときの目標装置の消耗量が比較的大きく、目標装置が睡眠レベルで作業するときの目標装置の消耗量が最も小さい。
【００７４】
本実施形態において、目標装置は、作業レベルを記憶することができ、端末も作業レベルを記憶することができる。作業レベルが目標装置に記憶される場合、端末は、ブルートゥースや、ＮＦＣなどを介して、目標装置から作業レベルを取得することができ、作業レベルが端末に記憶される場合、端末は、それ自体の記憶ユニットから直接作業レベルを取得することができる。
【００７５】
目標装置の現在の消耗量をより正確に計算するために、取得した作業レベルに基づき、端末は、目標装置の使用情報によって、目標装置の現在の消耗量を計算する際に、以下の（２．１）〜（２．３）を採用する。
【００７６】
（２．１）端末は、目標装置の毎回のオンオフ時間内の作業レベルによって、毎回オンオフする時間のレベルの重みを確定する。
【００７７】
本実施形態に係る方法は、目標装置の現在の消耗量を計算する前に、端末は、異なる作業レベルごとに異なるレベルの重みを設定する。具体的に設定するとき、端末は、強力レベルに最大のレベルの重みを設定し、睡眠レベルに最小のレベルの重みを設定し、一般的なレベルに両方間のレベルの重みを設定する。例えば、強力レベルに設定したレベルの重みが５であり、一般的なレベルに設定したレベルの重みが３であり、睡眠レベルに設定したレベルの重みが１である。異なる作業レベルごとに異なるレベルの重みを設定することで、作業レベルとレベルの重みの間に対応関係が形成される。そして、その後の応用が容易になるように、本実施形態に係る方法は、異なる作業レベルごとに異なるレベルの重みを設定した後、作業レベルとレベルの重みの対応関係をさらに記憶する。作業レベルとレベルの重みの対応関係を記憶するときに、端末は、作業レベルとレベルの重みの対応関係をローカルに記憶してもよいが、クラウドに記憶してもよい。
【００７８】
作業レベルとレベルの重みの対応関係に基づき、端末は、目標装置の毎回のオンオフ時間内の作業レベルを取得した後、作業レベルとレベルの重みの対応関係から、毎回オンオフする時間内のレベルの重みを照会することができる。
【００７９】
（２．２）端末は、目標装置の毎回のオンオフ時間及び対応するレベルの重みの積を累算して目標装置の実際使用時間を取得する。
【００８０】
目標装置の実際使用時間は、目標装置が毎回オンオフ時間に関連するだけではなく、毎回オンオフする時間に対応するレベルの重みとも関連するので、目標装置の毎回のオンオフ時間及び対応するレベルの重みの積を累算して目標装置の実際使用時間を取得する。
【００８１】
例えば、端末は、目標装置の毎回オンオフする時間と対応するレベルの重みの積を累算して目標装置の実際使用時間を取得する過程について、以下の表３に示した目標装置の使用情報と対応するレベルの重みを例として詳細に説明する。
【００８２】
【表３】
2017505896.tif 000005
【００８３】
前記表３に示したデータに基づき、目標装置の実際使用時間＝５×３＋３×１＋７×２＋２.５×２＋４×１＝４１時間である。
【００８４】
（２．３）端末は、目標装置の実際使用時間及び目標装置の使用寿命によって、目標装置の現在の消耗量を計算する。
【００８５】
目標装置の実際使用時間を取得した後、端末は、目標装置の実際使用時間と目標装置の使用寿命の割合を取得して目標装置の現在の消耗を取得する。
【００８６】
例えば、目標装置の使用寿命が５０００時間であり、端末が取得した目標装置の毎回のオンオフ時間及び対応するレベルの重みの積を累算して取得した目標装置の実際使用時間が４０００時間であれば、目標装置の現在の消耗量=目標装置の実際使用時間／目標装置の使用寿命=４０００／５０００=８０％、即ち、目標装置の現在の消耗量は８０％である。
【００８７】
（３）目標装置の作業面積を考慮する。
目標装置が空気清浄機である場合を例とすると、作業面積が空気清浄機の浄化面積であり、作業面積が２０ｍ２、３０ｍ２、５０ｍ２などである場合もある。本実施形態では、目標装置の作業面積が異なり、目標装置の消耗量も異なる。目標装置の作業面積が比較的大きいと、目標装置の消耗量が比較的大きく、目標装置の作業面積が比較的小さいと、目標装置の消耗量が比較的小さい。
【００８８】
本実施形態において、目標装置は、作業面積を記憶することができ、端末も作業面積を記憶することができる。作業面積が目標装置に記憶されると、端末は、ブルートゥース、ＮＦＣなどを介して、目標装置から作業面積を取得することができ、作業面積が端末に記憶されると、端末は、それ自体の記憶ユニットから作業面積を取得することができる。
【００８９】
目標装置の現在の消耗量をより正確に計算するために、取得した作業面積に基づき、端末は、目標装置の使用情報によって、目標装置の現在の消耗量を計算する際に、以下の（３．１）〜（３．３）を採用する。
【００９０】
（３．１）端末は、目標装置の毎回のオンオフ時間内の作業面積によって、毎回オンオフする時間の面積の重みを確定する。
【００９１】
本実施形態に係る方法は、目標装置の現在の消耗量を計算する前に、端末は、異なる作業面積ごとに異なる面積の重みを設定する。具体的に設定するとき、作業面積が大きいほど、端末が設定した面積の重みが大きい。例えば、作業面積が２０ｍ２であれば、端末の設定面積の重みは１であり、作業面積が５０ｍ２であれば、端末の設定面積の重みは３であり、作業面積が１００ｍ２であれば、端末の設定面積の重みは５などである。そして、その後の応用を容易になるように、本実施形態に係る方法は、異なる作業面積ごとに異なる面積の重みを設定した後、作業面積と面積の重みの対応関係をさらに記憶する。作業面積と面積の重みの対応関係を記憶する場合、端末は、作業面積と面積の重みの対応関係をローカルに記憶してもよいが、クラウドに記憶してもよい。
【００９２】
作業面積と面積の重みの対応関係に基づき、端末は、目標装置の毎回のオンオフ時間内の作業面積を取得した後、作業面積と面積の重みの対応関係から、毎回オンオフする時間内の面積の重みを照会することができる。
【００９３】
（３．２）端末は、目標装置の毎回のオンオフ時間及び対応する面積の重みの積を累算して目標装置の実際使用時間を取得する。
【００９４】
目標装置の実際使用時間は、目標装置が毎回オンオフ時間に関連するだけではなく、毎回オンオフする時間に対応する面積の重みとも関連するので、目標装置の毎回のオンオフ時間及び対応する面積の重みの積を累算して目標装置の実際使用時間を取得する。
【００９５】
例えば、端末が目標装置の毎回オンオフする時間と対応する面積の重みの積を累算して目標装置の実際使用時間を取得する過程について、以下の表４に示した目標装置の使用情報と対応する面積の重みを例として詳細に説明する。
【００９６】
【表４】
2017505896.tif 000006
【００９７】
前記表４に示したデータに基づき、目標装置の実際使用時間＝５×１＋３×２＋７×２＋２.５×２＋４×１＝３４時間である。
【００９８】
（３．３）端末は、目標装置の実際使用時間及び目標装置の使用寿命によって、目標装置の現在の消耗量を計算する。
【００９９】
目標装置の実際使用時間を取得した後、端末は、目標装置の実際使用時間と目標装置の使用寿命の割合を取得して目標装置の現在の消耗量を取得する。
【０１００】
例えば、目標装置の使用寿命が５０００時間であり、端末が取得した目標装置の毎回のオンオフ時間及び対応する面積の重みの積を累算して取得した目標装置の実際使用時間が３０００時間であれば、目標装置の現在の消耗量=目標装置の実際使用時間／目標装置の使用寿命=３０００／５０００=６０％、即ち、目標装置の現在の消耗量は６０％である。
【０１０１】
前記の計算は、目標装置が一つの要素の影響下での現在の消耗量を計算する過程である。目標装置は、実際の作業中、前記いくつかの要素の影響を同時に受けることも可能である。即ち、目標装置が作業するとき、前記少なくとも二つの要素の影響を受けることができる。このとき、端末は、目標装置の現在の消耗量を計算するとき、目標装置の毎回オンオフする時間と対応する重みの積を累算して目標装置の実際使用時間を取得し、さらに目標装置の実際使用時間及び目標装置の使用寿命によって、目標装置の現在の消耗量を計算する。
【０１０２】
前記の過程に対して、理解を容易にするために、以下の表５を例として説明する。
【０１０３】
【表５】
2017505896.tif 000007
【０１０４】
前記表５に示される端末が取得した目標装置の使用情報に基づき、目標装置の実際使用時間＝５×３×１＋３×２×２＋７×４×２＋２.５×２×２＋４×３×１=１０５時間である。もし目標装置の使用寿命が２００時間であれば、目標装置の現在の消耗量=１０５／２００=５２.５％、即ち、目標装置の現在の消耗量は５２.５％である。
【０１０５】
前記重みの計算などは例示的に過ぎず、実際には、他のいくつかの影響を与える要素に基づく計算方法もあるが、ここでは言及しない。
【０１０６】
ステップＳ２０３：消耗量が所定の消耗通知閾値に達すると、端末は、現在の装置の状態を通知する。
【０１０７】
ここで、所定の消耗通知閾値が目標装置の消耗量のキーポイントであり、目標装置に対するテストを経て取得したものである。もっと人間性に富んだ通知を実現するために、当該所定の消耗通知閾値は第１の閾値、第２の閾値、第３の閾値等を含む。本実施形態では、第１の閾値は第２の閾値よりも小さく、第２の閾値は第３の閾値よりも小さい。第１の閾値に対応する目標装置の消耗量は比較的小さく、当該第１の閾値は１２％、１０％などであってもよい。第２の閾値に対応する目標装置の消耗量は比較的大きく、当該第２の閾値は３０％、２０％などであってもよい。第３の閾値に対応する目標装置の消耗量は非常に大きく、当該第３の閾値は６０％、５０％などであってもよい、本実施形態では、第１の閾値、第２の閾値、第３の閾値に対して具体的に限定しない。
【０１０８】
本実施形態では、目標装置の現在の消耗量を計算した後、端末は、表示インターフェースにデータ表示ページを表示する。ここで、当該データ表示ページは、目標装置の現在の消耗量を表示するために用いられる。通知の効率を向上させるために、端末がデータ表示ページに目標装置の現在の消耗量を表示する場合、目標装置の作業レベルが変化するときに表示してもよいが、目標装置がオンオフするときに表示してもよい。
【０１０９】
目標装置の現在の状態を適時に通知して目標装置が正常に作業しない状況を避けるために、目標装置の現在の消耗量が所定の消耗通知閾値に達すると、端末は、目標装置の現在の状態を通知する。所定の消耗通知閾値が第１の閾値、第２の閾値及び第３の閾値を含むので、所定の消耗通知閾値ごとに対して、端末は、目標装置の現在の状態を通知する際に、以下のような三つの態様を採用する。
【０１１０】
第１の態様
目標装置の現在の消耗量が第１の閾値に達すると、目標装置の消耗量が比較的小さい。このとき、目標装置は比較的長い時間で正常に使用することができ、端末は、第１の通知方式により 、現在の装置の状態を通知することができる。
【０１１１】
ここで、第１の通知方式の通知レベルは低いので、一般的な通知方式を採用して通知することができる。例えば、表示カラーを変換したり、表示フォントに太字などを採用することができる。図３を例として、第１の閾値をａ％に設定し、目標装置の現在の消耗量がａ％に達すると、端末は、フォントを太字にする方式を採用して、データ表示ページに「現在の消耗量がａ％であり、第１の閾値に到達した」と表示する。
【０１１２】
第２の態様
目標装置の現在の消耗量が第２の閾値に達すると、目標装置の消耗量が比較的大きい。このとき、目標装置は比較的短い時間で正常に使用することができ、端末は、第２の通知方式により、現在の装置の状態を通知することができる。
【０１１３】
ここで、第２の通知方式の通知レベルは中級であり、一般的な通知方式に加えて通知マークを採用することができる。例えば、カラーを変換して表示するとともに通知マークを追加するとか、表示フォントを太字にするとともに通知マークを追加するなどが挙げられる。通知マークはチェックマーク、三角マークなどであってもよい。図４を例に挙げて、第１の閾値をｂ％に設定し、目標装置の現在の消耗量がｂ％に達すると、端末は、フォントを太字に表示するとともに、通知マークである三角を追加する方式を採用して、データ表示ページに「現在消耗量がｂ％であり、第２の閾値に到達した」と表示する。
【０１１４】
第３の態様
目標装置の現在の消耗量が第３の閾値に達すると、目標装置の消耗量が非常に大きい。このとき、目標装置が使用寿命にすぐ到達するので、端末は、第３の通知方式により、現在の装置の状態を通知して、ユーザーに注意を引き起こす。
【０１１５】
ここで、第３の通知方式の通知レベルは高いので、緊急通知マークをスクロール表示する方式を採用する。緊急通知マークは感嘆符マーク、フラグマークなどである。図５を例に挙げて、第３の閾値をｃ％に設定し、目標装置の現在の消耗量がｃ％に達すると、端末は、フラグマークがスクロール表示される方式を採用して、データ表示ページに「現在の消耗量がｃ％であり、第３の閾値に到達した」と表示する。
【０１１６】
Ｓ２０４ステップ：消耗量が交替警告消耗量に達すると、端末は、目標装置を購入するためのショートカットオプションを表示する。
【０１１７】
目標装置を常に正常な作業状態にさせて、ユーザーに良い居住環境を提供するために、本実施形態では、端末は目標装置の現在の消耗量が交替警告消耗量に到達したと計算した後、目標装置を購入するためのショートカットキーオプションをさらに表示する。ショートカットオプションが選択されたことを検出した後、端末は現在の表示されたデータ表示ページを目標装置の購入リンクに移行し、ユーザーは当該購入リンクを介して目標装置を購入することができる。
【０１１８】
本実施形態において、交替警告消耗量は、目標装置が通常の作業を維持することができる最小消耗量であり、交替警告消耗量に達した後、ユーザーが目標装置を適時に交換しないと、目標装置は正常に作業することができなくなる。交換早期警報消耗の重要性に基づき、端末が交替警告消耗量を確定するとき、以下のような態様を採用することができる。
【０１１９】
まず、端末は、ユーザーアカウントの消費記録を取得する。
ユーザーがネットワークを介して照会するとき、ユーザーアカウントにユーザーの消耗情報が記録される。例えば、ユーザーの消耗時間、購入物品、売り手の出荷先住所、ユーザーの受取先住所などが記録される。このような情報が消費情報である。例えば、装置の名称などの目標装置のキーワードによって、端末は、ユーザーアカウントの多くの消費記録から目標装置に対応する消費記録を照会して、当該消費記録を取得する。
【０１２０】
そして、端末は、現在の消耗量、使用情報及びユーザーアカウントの消費記録によって、目標装置の交替警告消耗量を確定する。
【０１２１】
端末は、現在の消耗量、使用情報及びユーザーアカウントの消費記録によって、目標装置の交換早期警報の消耗量を確定するとき、以下の（１）〜（３）を採用する。
【０１２２】
（１）端末は、使用情報及び現在の消耗量によって、残り使用日数を確定する。
本実施形態において、使用情報は、目標装置のオンオフ時間、オンオフ回数などを含む。使用情報に含まれる内容に基づき、端末は、使用情報中のオンオフ回数によって、ユーザーの使用頻度を確定し、使用情報中のオンオフ時間によって、ユーザーの使用強度を確定し、ユーザーの使用頻度及びユーザーの使用強度によって、目標装置の毎日の消耗量を計算する。最後、目標装置の現在の消耗量及び目標装置の毎日の消耗量に基づき、目標装置の残り使用日数を計算する。
【０１２３】
なお、前記態様を採用して残り使用日数を確定する以外に、端末は予め残り使用日数を設定してもよい。例えば、端末は、残り使用日数を６日、８日などに設定することができる。
【０１２４】
（２）ユーザーアカウントの消費記録中の売り手の出荷先住所及びユーザーの受取先住所によって、配送時間を確定する。
ユーザーアカウントの消費記録に記憶された売り手の出荷先住所及びユーザーの受取先住所に基づき、端末は、従来の輸送状況によって、売り手の出荷先住所からユーザーの受取先住所までの配送時間を確定する。なお、端末は、予め所定の物流日数をさらに設定してもよい。また、所定の物流日数を配送時間としてもよい。ここで、所定の物流日数は３日、５日などである。
【０１２５】
（３）残り使用日数及び配送時間によって、目標装置の交替警告消耗量を確定する。
目標装置の残り使用日数によって、端末は、目標装置の毎日の消耗量を取得することができる。目標装置の売り手からユーザーまでの物流日数を考慮し、目標装置が正常に作業することを前提として、端末は、目標装置の交換早期警報消耗量を確定することができる。
【０１２６】
例えば、目標装置の残り使用日数が７日であり、目標装置の現在の消耗量が７９％であれば、目標装置の毎日の消耗量は３％である。また、ユーザーアカウントの消費記録中の売り手の出荷先住所及びユーザーの受取先住所によって配送時間が３日に確定されると、当該３日内における目標装置の消耗量は９％である。目標装置が正常に作業するように、端末は消耗量９％を交替警告消耗量に確定することができる。
【０１２７】
前記Ｓ２０４ステップの内容について、理解を容易にするために、図６を例に挙げて説明する。
図６に示すように、端末は、現在の消耗量、使用情報及びユーザーアカウントの消費記録によって、目標装置の交替警告消耗量をｄ％に確定する。目標装置の現在の消耗量がｄ％であれば、端末は、データ表示ページにショートカットオプションを表示する。そして、ショートカットオプションが選択されたことが検出されると、端末はデータ表示ページから目標装置の購入リンクに移行する。ユーザーは、当該購入リンクを介して、目標装置を購入することができる。
【０１２８】
本発明の実施形態による方法は、少なくとも目標装置の毎回のオンオフ時間を含む使用情報を取得し、目標装置の使用情報によって目標装置の現在の消耗量を計算し、消耗量が所定の消耗通知閾値に達すると、 現在の装置の状態を通知する。目標装置の現在の消耗量が使用情報によって計算されるため、ユーザーの使用経験よりも正確であり、消耗量が所定の消耗通知閾値に達すると、適時にユーザーに通知して目標装置が正常に作業するように確保することができる。これに加え、目標装置の現在の消耗量が交替警告消耗量に達すると、端末はショートカットオプションを表示し、ユーザーは、当該ショートカットオプションを介して、目標装置を迅速に購入することができ、ユーザーの対応を向上させることができる。
【０１２９】
図７は、本発明の実施形態に係る状態通知装置を示す説明図である。図７を参照すると、当該装置は、第１の取得モジュール７０１、計算モジュール７０２及び通知モジュール７０３を含む。
【０１３０】
当該第１の取得モジュール７０１は、目標装置の使用情報を取得するように構成される。ここで、使用情報は、少なくとも目標装置の毎回のオンオフ時間を含む。
【０１３１】
当該計算モジュール７０２は、目標装置の使用情報によって目標装置の現在の消耗量を計算するように構成される。
【０１３２】
当該通知モジュール７０３は、消耗量が所定の消耗通知閾値に達すると、現在の装置の状態を通知するように構成される。
【０１３３】
本発明の実施形態では、当該第１の取得モジュール７０１は、ブルートゥース機能を作動させて、ブルートゥース接続を介して目標装置の使用情報を取得するように構成されるか、又は近距離無線通信ＮＦＣ機能を動作させて、ＮＦＣデータチャンネルを介して目標装置の使用情報を取得するように構成されるか、又はルータが転送した目標装置の使用情報を受信するように構成される。
【０１３４】
本発明の実施形態では、当該通知モジュール７０３は、データ表示ページを表示するように構成される。ここで、データ表示ページは、目標装置の現在の消耗量を表示するために用いられる。データ表示ページに表示される消耗量に基づき、消耗量が所定の消耗通知閾値に達すると、現在の装置の状態を通知する。
【０１３５】
本発明の実施形態では、当該通知モジュール７０３は、消耗量が第１の閾値に達すると、第１の通知方式により、現在の装置の状態を通知し、消耗量が第２の閾値に達すると、第２の通知方式により、現在の装置の状態を通知し、消耗量が第３の閾値に達すると、第３の通知方式を採用し、現在の装置の状態を通知するように構成される。
ここで、第１の閾値は第２の閾値よりも小さく、第２の閾値は、第３の閾値よりも小さい。
【０１３６】
本発明の実施形態では、当該計算モジュール７０２は、目標装置の毎回のオンオフ時間を取得し、目標装置の毎回のオンオフ時間を累算して目標装置の理論使用時間を取得し、目標装置の理論使用時間及び目標装置の使用寿命により目標装置の現在の消耗量を計算するように構成される。
【０１３７】
本発明の実施形態では、当該装置は、第２の取得モジュールをさらに含む。
当該第２の取得モジュールは、目標装置の環境データを取得するように構成される。
当該計算モジュール７０２は、目標装置の毎回のオンオフ時間内の環境データによって、毎回オンオフする時間の環境の重みを確定し、目標装置の毎回のオンオフ時間及び対応する環境の重みの積を累算して目標装置の実際使用時間を取得し、目標装置の実際使用時間及び目標装置の使用寿命によって、目標装置の現在の消耗量を計算するように構成される。
【０１３８】
本発明の実施形態では、当該装置は、第３の取得モジュールをさらに含む。
当該第３の取得モジュールは、目標装置の作業レベルを取得するように構成される。
当該計算モジュール７０２は、目標装置の毎回オンオフする時間内の作業レベルによって、毎回オンオフする時間のレベルの重みを確定し、目標装置の毎回のオンオフ時間及び対応するレベルの重みの積を累算して目標装置の実際使用時間を取得し、目標装置の実際使用時間及び目標装置の使用寿命によって、目標装置の現在の消耗量を計算するように構成される。
【０１３９】
本発明の実施形態では、当該装置は、第４の取得モジュールをさらに含む。
当該第４の取得モジュールは、目標装置の作業面積を取得するように構成される。
当該計算モジュール７０２は、目標装置の毎回のオンオフ時間内の作業面積によって、毎回オンオフする時間の面積の重みを確定し、目標装置の毎回オンオフする時間と対応する面積の重みの積を累算して目標装置の実際使用時間を取得し、目標装置の実際使用時間及び目標装置の使用寿命によって、目標装置の現在の消耗量を計算するように構成される。
【０１４０】
本発明の実施形態では、当該装置は、第５の取得モジュール、確定モジュール及び表示モジュールをさらに含む。
当該第５の取得モジュールは、ユーザーアカウントの消費記録を取得するように構成される。
当該確定モジュールは、現在の消耗、使用情報及びユーザーアカウントの消費記録によって、目標装置の交換早期警報消耗量を確定するように構成される。
当該表示モジュールは、消耗量が交替警告消耗量に達すると、購入ショートカットオプションを表示するように構成される。購入ショートカットオプションは、目標装置の購入リンクに移行するために用いられる。
【０１４１】
本発明の実施形態では、当該確定モジュールは、使用情報及び現在の消耗量によって残り使用日数を確定し、ユーザーアカウントの消費記録中の売り手の出荷先住所及びユーザーの受取先住所によって配送時間を確定し、残り使用日数及び配送時間によって、目標装置の交換早期警報消耗量を確定するように構成される。
【０１４２】
本発明の実施形態に係る装置は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるため、ユーザーの使用経験よりももっと正確であり、消耗量が所定の消耗通知閾値に達すると、ユーザーに適時に通知して、目標装置が常に正常に作動するように確保することができる。
【０１４３】
前記実施形態の装置において、それぞれのモジュールが操作を実行する具体的な態様は、当該方法の実施形態ですでに詳細に説明したので、ここでは詳細に説明しない。
【０１４４】
図８は、本発明の実施形態に係る状態通知装置８００を示すブロック図である。例えば、装置８００は、携帯電話、コンピュータ、デジタル放送端末、メッセージ送受信装置、ゲームコンソール、タブレット装置、医療機器、ヘルス機器、ＰＤＡ(Ｐｅｒｓｏｎａｌ Ｄｉｇｉｔａｌ Ａｓｓｉｓｔａｎｔ)などであってもよい。
【０１４５】
図８を参照すると、装置８００は、処理ユニット８０２、メモリ８０４、電源ユニット８０６、マルチメディアユニット８０８、オーディオユニット８１０、入出力（Ｉ／Ｏ）インターフェース８１２、センサユニット８１４と通信ユニット８１６のうちの１つ以上を含むことができる。
【０１４６】
処理ユニット８０２は、通常、装置８００の全体的な操作、例えば、表示、携帯電話の呼び出し、データ通信、カメラ操作や記録操作に関連する操作を制御する。処理ユニット８０２は、前記方法の全部又は一部のステップを完了するように１つ以上のプロセッサ８２０を含んで命令を実行する。また、処理ユニット８０２は、他のモジュールとの相互作用を便利にするように、１つ以上のモジュールを含むことができる。例えば、処理ユニット８０２は、マルチメディアユニット８０８と処理ユニット８０２との間の相互作用を便利にするように、マルチメディアモジュールを含んでもよい。
【０１４７】
メモリ８０４は、様々なタイプのデータを記憶して、装置８００での操作をサポートするように配置される。このようなデータは、例えば、装置８００で操作される任意のアプリケーションプログラム、又は方法の命令、連絡先のデータ、電話帳データ、メッセージ、画像、動画などを含む。また、メモリ８０４は、いずれのタイプの揮発性又は非揮発性記憶装置、又はこれらの組み合わせで実現することができる。例えば、ＳＲＡＭ(Ｓｔａｔｉｃ Ｒａｎｄｏｍ Ａｃｃｅｓｓ Ｍｅｍｏｒｙ)、ＥＥＰＲＯＭ(Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ)、ＥＰＲＯＭ(Ｅｒａｓａｂｌｅ Ｐｒｏｇｒａｍｍａｂｌｅ Ｒｅａｄ-Ｏｎｌｙ Ｍｅｍｏｒｙ)、ＰＲＯＭ(Ｐｒｏｇｒａｍｍａｂｌｅ Ｒｅａｄ-Ｏｎｌｙ Ｍｅｍｏｒｙ)、ＲＯＭ(Ｒｅａｄ-Ｏｎｌｙ Ｍｅｍｏｒｙ)、磁気メモリ、フラッシュメモリ、ディスク、又はＣＤであってもよい。
【０１４８】
電源ユニット８０６は、装置８００の様々なユニットに消耗量を提供する。電源ユニット８０６は、電源管理システム、１つ以上の電源や他の装置８００のための消耗量の生成、管理、及び分配に係るモジュールを含むことができる。
【０１４９】
マルチメディアユニット８０８は、前記装置８００とユーザーの間に出力インターフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサを含んで、タッチや、スライドや、パネル上手の動きを感知する。前記タッチセンサは、タッチやスライド動作の境界を測定することができるだけではなく、前記タッチやスライド操作に関連する持続時間や圧力を測定することができる。一部の実施形態では、マルチメディアユニット８０８は、１つのフロントカメラ、及び/又はバックカメラを含むことができる。装置８００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【０１５０】
オーディオユニット８１０は、オーディオ信号を出力及び/又は入力するように配置される。例えば、オーディオユニット８１０は、１つのマイク（ＭＩＣ）を含んでもよい。装置７００が操作モードに設定される場合、例えば、呼び出しモード、記録モード、音声識別モードの場合、マイクは、外部オーディオ信号を受信するように配置される。受信されたオーディオ信号は、メモリ８０４に格納されるか、通信ユニット８１６を経て送信することができる。一部の実施形態では、オーディオユニット８１０は、１つのスピーカーを含み、オーディオ信号を出力する。
【０１５１】
Ｉ／Ｏインターフェース８１２は、処理ユニット８０２と周辺インターフェースモジュールとの間にインターフェースを提供する。前記周辺インターフェースモジュールは、キーボード、クリックホイール、ボタンなどあってもよい。これらのボタンは、ホームページボタン、ボリュームボタン、操作ボタン、ロックボタンを含むが、これに限定しない。
【０１５２】
センサユニット８１４は、１つ以上のセンサを含み、装置８００の各方面の状態の評価を提供することができる。例えば、センサユニット８１４は、装置８００のＯＮ/ＯＦＦの状態、モジュールの相対的な位置を測定することができる。例えば、前記モジュールは、装置８００のモニターや小さなキーボードであってもよい。センサユニット８１４は、装置８００又は装置８００の１つのユニットの位置の変化、ユーザーと装置８００が接触したか、装置８００の方位又は加速/減速、装置８００の温度変化を測定することができる。センサユニット８１４は、接近センサを含んで、何の物理的な接触がない状況でも近くの物体の存在を測定するように配置される。センサユニット８１４は、例えば、ＣＭＯＳ（Ｃｏｍｐｌｅｍｅｎｔａｒｙ Ｍｅｔａｌ-Ｏｘｉｄｅ-Ｓｅｍｉｃｏｎｄｕｃｔｏｒ）又はＣＣＤ（Ｃｈａｒｇｅ-Ｃｏｕｐｌｅｄ Ｄｅｖｉｃｅ）イメージセンサなどの光センサが含まれて、画像形成に使用される。このような実施形態では、センサモジュール８１４は、加速度センサ、ジャイロスコープセンサ、磁気センサ、圧力センサ、又は温度センサをさらに含んでもよい。
【０１５３】
通信ユニット８１６は、装置８００と他の装置間で有線又は無線方式で便利に通信するように配置される。装置８００は、通信規格に基づいた、例えばＷｉＦｉ、２Ｇ又は４Ｇ又はこれらの組み合わせなどの無線インターネットにアクセスすることができる。一実施形態では、通信ユニット８１６は、放送チャンネルを経て外部の放送管理システムからの放送信号又は放送に関連する情報を受信する。一実施形態では、前記通信ユニット８１６には、ＮＦＣ通信モジュールが含まれて、短距離通信を促進することができる。例えば、ＮＦＣモジュールはＲＦＩＤ(Ｒａｄｉｏ Ｆｒｅｑｕｅｎｃｙ Ｉｄｅｎｔｉｆｉｃａｔｉｏｎ)技術、ＩｒＤＡ(Ｉｎｆｒａｒｅｄ Ｄａｔａ Ａｓｓｏｃｉａｔｉｏｎ)技術、ＵＷＢ(Ｕｌｔｒａ-Ｂａｎｄｗｉｄｔｈ)技術、ＢＴ（Ｂｌｕｅｔｏｏｔｈ(登録商標)）技術やその他の技術に基づいて実現することができる。
【０１５４】
一実施形態では、装置８００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔｓ）、ＤＳＰ（Ｄｉｇｉｔａｌ Ｓｉｇｎａｌ Ｐｒｏｃｅｓｓｏｒｓ）、ＤＳＰＤ（Ｄｉｇｉｔａｌ Ｓｉｇｎａｌ Ｐｒｏｃｅｓｓｉｎｇ Ｄｅｖｉｃｅｓ）、ＰＬＤ（Ｐｒｏｇｒａｍｍａｂｌｅ Ｌｏｇｉｃ Ｄｅｖｉｃｅｓ）、ＦＰＧＡ（Ｆｉｅｌｄ Ｐｒｏｇｒａｍｍａｂｌｅ Ｇａｔｅ Ａｒｒａｙｓ）、コントローラ、マイクロコントローラ、マイクロプロセッサ、又はその他の電子素子で実現され、前記方法を実行する。
【０１５５】
一実施形態では、命令を含む非一時性コンピュータ読取可能な記憶媒体、例えば、命令を含むメモリ８０４を提供する。前記命令は、装置８００のプロセッサ８２０によって実行され、前記方法を完成する。例えば、前記非一時性コンピュータ読取可能な記憶媒体はＲＯＭ、ＲＡＭ（Ｒａｎｄｏｍ Ａｃｃｅｓｓ Ｍｅｍｏｒｙ）、ＣＤ−ＲＯＭ、磁気テープ、フロッピー（登録商標）ディスク、及び光データ記憶装置などであってもよい。
【０１５６】
本発明の実施形態に係る装置は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるので、ユーザーの使用経験よりももっと正確であり、消耗量が所定の消耗通知閾値に達すると、適時にユーザーに通知して、目標装置が常に正常に作動するように確保することができる。
【０１５７】
また、非一時性コンピュータ読取可能な記憶媒体は、前記記録媒体中の命令がモバイル端末のプロセッサによって実行されると、モバイル端末が状態通知方法を実行することができる。前記の方法は、
目標装置の使用情報を取得するステップと、
目標装置の使用情報によって目標装置の現在の消耗量を計算するステップと、
消耗量が所定の消耗通知閾値に達すると、現在の装置の状態を通知するステップを含み、
ここで、使用情報は、少なくとも目標装置の毎回のオンオフ時間を含む。
【０１５８】
本発明の実施形態では、目標装置の使用情報を取得するステップは、
ブルートゥース機能を作動させて、ブルートゥース接続を介して目標装置の使用情報を取得するステップ、又は
近距離無線通信ＮＦＣ機能を作動して、ＮＦＣデータチャンネルを介して目標装置の使用情報を取得するステップ、又は
ルータが転送した目標装置の使用情報を受信するステップを含む。
【０１５９】
本発明の実施形態では、消耗量が所定の消耗通知閾値に達すると、現在の装置の状態を通知するステップは、
データ表示ページを表示するステップと、
データ表示ページが表示した消耗量に基づき、消耗量が所定の消耗通知閾値に達すると、現在の装置の状態を通知するステップとを含み、
ここで、データ表示ページは、目標装置の現在の消耗量を表示するために用いられる。
【０１６０】
本発明の実施形態では、消耗量が所定の消耗通知閾値に達すると、現在の装置の状態を通知するステップは、
消耗量が第１の閾値に達すると、第１の通知方式により 、現在の装置の状態を通知するステップと、
消耗量が第２の閾値に達すると、第２の通知方式により、現在の装置の状態を通知するステップと、
消耗量が第３の閾値に達すると、第３の通知方式により、現在の装置の状態を通知するステップを含む。
ここで、第１の閾値は第２の閾値よりも小さく、第２の閾値は第３の閾値よりも小さい。
【０１６１】
本発明の実施形態では、目標装置の使用情報によって目標装置の現在の消耗量を計算するステップは、
目標装置の毎回オンオフする時間を取得するステップと、
目標装置の毎回のオンオフ時間を累算して目標装置の理論使用時間を取得するステップと、
目標装置の理論使用時間及び目標装置の使用寿命により、目標装置の現在の消耗量を計算するステップとを含む。
【０１６２】
本発明の実施形態では、当該方法は、
目標装置の環境データを取得するステップをさらに含む。
目標装置の使用時間によって目標装置の現在の消耗量を計算するステップは、
目標装置の毎回のオンオフ時間内の環境データによって毎回オンオフする時間の環境の重みを確定するステップと、
目標装置の毎回のオンオフ時間及び対応する環境の重みの積を累算して目標装置の実際使用時間を取得するステップと、
目標装置の実際使用時間及び目標装置の使用寿命によって、目標装置の現在の消耗量を計算するステップを含む。
【０１６３】
本発明の実施形態では、当該方法は、
目標装置の作業レベルを取得するステップをさらに含む。
目標装置の使用情報によって目標装置の現在の消耗量を計算するステップは、
目標装置の毎回オンオフする時間内の作業レベルによって、毎回オンオフする時間のレベルの重みを確定するステップと、
目標装置の毎回のオンオフ時間及び対応するレベルの重みの積を累算して目標装置の実際使用時間を取得するステップと、
目標装置の実際使用時間及び目標装置の使用寿命によって、目標装置の現在の消耗量を計算するステップを含む。
【０１６４】
本発明の実施形態により、当該方法は、
目標装置の作業面積を取得するステップをさらに含む。
目標装置の使用情報によって目標装置の現在の消耗量を計算するステップは、
目標装置の毎回オンオフする時間内の作業面積によって、毎回オンオフする時間の面積の重みを確定するステップと、
目標装置の毎回オンオフする時間と対応する面積の重みの積を累算して目標装置の実際使用時間を取得するステップと、
目標装置の実際使用時間及び目標装置の使用寿命によって、目標装置の現在の消耗量を計算するステップを含む。
【０１６５】
本発明の実施形態では、当該方法は、
ユーザーアカウントの消費記録を取得するステップをさらに含む。
現在の消耗量、使用情報及びユーザーアカウントの消費記録によって、目標装置の交替警告消耗量を確定するステップと、
消耗量が交替警告消耗量に達すると、購入ショートカットオプションを表示するステップとを含む。
ここで、購入ショートカットオプションは、目標装置の購入リンクに移行するために用いられる。
【０１６６】
本発明の実施形態では、現在の消耗量、使用情報及びユーザーアカウントの消費記録によって、目標装置の交替警告消耗量を確定するステップは、
使用情報及び現在の消耗量によって、残り使用日数を確定するステップと、
ユーザーアカウントの消費記録中の売り手の出荷先住所及びユーザーの受取先住所によって配送時間を確定するステップと、
残り使用日数及び配送時間によって目標装置の交替警告消耗量を確定するステップとを含む。
【０１６７】
本発明の実施形態に係る非一時性コンピュータ読取可能な記憶媒体は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるため、ユーザーの使用経験よりももっと正確であり、消耗量が所定の消耗通知閾値に達すると、適時にユーザーに通知して、目標装置が常に正常に作動するように確保することができる。
【０１６８】
本発明が属する技術分野の通常の知識を有する者は、明細書を考慮して、発明を実践した後、本発明の他の実施方式に簡単に想到することができる。本発明の趣旨は、本発明の任意の変形、用途、又は適応性の変化を含む。このような変形、用途、又は適応性の変化は、本発明の一般的な原理を遵守し、かつ本発明が公開されていない本技術分野の公知の常識や慣用技術手段を含む。明細書及び実施形態は、単に例示的で、本発明の真の範囲と精神は特許請求の範囲で提出する。
【０１６９】
理解することは、本発明は、既に記述が作成された図面で示されている構造に限定されず範囲を逸脱していない状況で、各種の変更を行うことができる。本発明の範囲は、単に添付された特許請求の範囲に制限する。
【０１７０】
本願発明は、出願番号が２０１４１０８５２６０９.１で出願日が２０１４年１２月３１日中国特許出願を基礎として優先権を主張して、当該中国特許出願の内容全体は、本願発明に援用する。
【図１】
2017505896.tif 000008
【図２】
2017505896.tif 000009
【図３】
2017505896.tif 000010
【図４】
2017505896.tif 000011
【図５】
2017505896.tif 000012
【図６】
2017505896.tif 000013
【図７】
2017505896.tif 000014
【図８】
2017505896.tif 000015
【手続補正書】
【提出日】平成27年7月23日(2015.7.23)
【手続補正１】
【補正対象書類名】明細書
【補正対象項目名】全文
【補正方法】変更
【補正の内容】
【発明の詳細な説明】
【技術分野】
【０００１】
本発明は、情報技術の分野に関し、特に、状態通知方法、装置、プログラム及び記録媒体に関する。
【背景技術】
【０００２】
大気汚染が厳しくなるにつれて、ますます多くのユーザーが空気清浄機を使用して居住環境の空気品質を改善している。空気清浄機において、フィルターは核心部品であり、空気清浄機の浄化効果が直接影響される。使用時間の増加に応じて、空気清浄機のフィルターは徐々に消耗するが、多くのユーザーはフィルターの現状を把握できないため、フィルターを適時に交換せず、空気清浄機が正常に動作できなくなり、ユーザーの居住環境の空気を浄化することができなくなる。良い居住環境のために、空気清浄機が正常に動作するように、空気清浄機のフィルターの状態を通知する必要がある。
【発明の概要】
【発明が解決しようとする課題】
【０００３】
本発明は、関連する技術に存在する上記問題を克服するために、状態通知方法、装置、プログラム及び記録媒体を提供する。
【課題を解決するための手段】
【０００４】
本発明の第１の態様の第１の方面に係る状態通知方法は、
目標装置の使用情報を取得するステップと、
前記目標装置の使用情報によって、前記目標装置の現在の消耗量を計算するステップと、
前記消耗量が所定の消耗通知閾値に達すると、現在の装置の状態を通知するステップとを含み、
前記使用情報は、少なくとも前記目標装置の毎回のオンオフ時間を含むことを特徴とする。
【０００５】
第１の態様の第１の方面に加え、第２の方面に係る状態通知方法は、
前記目標装置の使用情報を取得するステップは、
ブルートゥース（登録商標）機能を作動させて、ブルートゥース接続を介して前記目標装置の使用情報を取得するステップ、又は
ＮＦＣ（Ｎｅａｒ Ｆｉｅｌｄ Ｃｏｍｍｕｎｉｃａｔｉｏｎ、近距離無線通信）機能を作動して、ＮＦＣデータチャンネルを介して前記目標装置の使用情報を取得するステップ、又は
ルータが転送した前記目標装置の使用情報を受信するステップを含むことを特徴とする。
【０００６】
第１の態様の第１の方面に加え、第３の方面に係る状態通知方法は、
前記消耗量が所定の消耗通知閾値に達すると、現在の装置の状態を通知するステップは、
データ表示ページを表示するステップと、
前記データ表示ページが表示された消耗量に基づき、前記消耗量が所定の消耗通知閾値に達すると、現在の装置の状態を通知するステップとを含み、
前記データ表示ページは、前記目標装置の現在の消耗量を表示するためのものであることを特徴とする。
【０００７】
第１の態様の第３の方面に加え、第４の方面に係る状態通知方法は、
前記消耗量が所定の消耗通知閾値に達すると、現在の装置の状態を通知するステップは、
前記消耗量が第１の閾値に達すると、第１の通知方式により 、現在の装置の状態を通知するステップと、
前記消耗量が第２の閾値に達すると、第２の通知方式により、現在の装置の状態を通知するステップと、
前記消耗量が第３の閾値に達すると、第３の通知方式により、現在の装置の状態を通知するステップとを含み、
前記第１の閾値は前記第２の閾値よりも小さく、前記第２の閾値は前記第３の閾値よりも小さいことを特徴とする。
【０００８】
第１の態様の第１の方面に加え、第５の方面に係る状態通知方法は、
前記目標装置の使用情報によって、前記目標装置の現在の消耗量を計算するステップは、
前記目標装置の毎回のオンオフ時間を取得するステップと、
前記目標装置の毎回のオンオフ時間を累算して前記目標装置の理論使用時間を取得するステップと、
前記目標装置の理論使用時間、及び前記目標装置の使用寿命により、前記目標装置の現在の消耗量を計算するステップとを含むことを特徴とする。
【０００９】
第１の態様の第１の方面に加え、第６の方面に係る状態通知方法は、
前記目標装置の環境データを取得するステップをさらに含み、
前記目標装置の使用情報によって、前記目標装置の現在の消耗量を計算するステップは、
前記目標装置の毎回のオンオフ時間内の環境データによって、毎回オンオフする時間の環境の重みを確定するステップと、
前記目標装置の毎回のオンオフ時間及び対応する環境の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする。
【００１０】
第１の態様の第１の方面に加え、第７の方面に係る状態通知方法は、
前記目標装置の作業レベルを取得するステップをさらに含み、
前記目標装置の使用情報によって、前記目標装置の現在の消耗量を計算するステップは、
前記目標装置の毎回のオンオフ時間内の作業レベルによって、毎回オンオフするレベルの重みを確定するステップと、
前記目標装置の毎回のオンオフ時間及び対応するレベルの重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする。
【００１１】
第１の態様の第１の方面に加え、第８の方面に係る状態通知方法は、
前記目標装置の作業面積を取得するステップをさらに含み、
前記目標装置の使用情報によって、前記目標装置の現在の消耗量を計算するステップは、
前記目標装置の毎回のオンオフ時間内の作業面積によって、毎回オンオフする時間の面積の重みを確定するステップと、
前記目標装置の毎回のオンオフ時間及び対応する面積の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする。
【００１２】
第１の態様の第１の方面から第８の方面に加え、第９の方面に係る状態通知方法は、
ユーザーアカウントの消費記録を取得するステップと、
前記現在の消耗量、前記使用情報及び前記ユーザーアカウントの消費記録によって、前記目標装置の交替警告消耗量を確定するステップと、
消耗量が前記交替警告消耗量に達すると、購入ショートカットオプションを表示するステップとを含み、
前記購入ショートカットオプションは、前記目標装置の購入リンクに移行するためのものであることを特徴とする。
【００１３】
第１の態様の第９の方面に加え、第１０の方面に係る状態通知方法は、
前記現在の消耗量、前記使用情報及び前記ユーザーアカウントの消費記録によって、前記目標装置の交替警告消耗量を確定するステップは、
前記使用情報及び前記現在の消耗量によって、残り使用日数を確定するステップと、
前記のユーザーアカウントの消費記録中の売り手の出荷先住所及びユーザーの受取先住所によって、配送時間を確定するステップと、
前記残り使用日数及び前記配送時間によって、前記目標装置の前記交替警告消耗量を確定するステップとを含むことを特徴とする。
【００１４】
本発明の第２の態様の第１の方面に係る状態通知装置は、
目標装置の使用情報を取得する第１の取得モジュールと、
前記目標装置の使用情報によって、前記目標装置の現在の消耗量を計算する計算モジュールと、
前記消耗量が所定の消耗通知閾値に達すると、現在の装置の状態を通知する通知モジュールとを含み、
前記使用情報は、少なくとも前記目標装置の毎回のオンオフ時間を含むことを特徴とする。
【００１５】
前記第２の態様の第１の方面に加え、第２の方面に係る状態通知装置は、
前記第１の取得モジュールは、ブルートゥース機能を作動させて、ブルートゥース接続を介して前記目標装置の使用情報を取得したり、近距離無線通信ＮＦＣ機能を動作させて、ＮＦＣデータチャンネルを介して前記目標装置の使用情報を取得したり、ルータが転送した前記目標装置の使用情報を受信するように構成されることを特徴とする。
【００１６】
前記第２の態様の第１の方面に加え、第３の方面に係る状態通知装置は、
前記通知モジュールは、データ表示ページを表示し、前記データ表示ページが表示された消耗量に基づき、前記消耗量が所定の消耗通知閾値に達すると、現在の装置の状態を通知するように構成され、
前記データ表示ページは、前記目標装置の現在の消耗量を表示するためのものであることを特徴とする。
【００１７】
前記第２の態様の第３の方面に加え、第４の方面に係る状態通知装置は、
前記通知モジュールは、具体的には、前記消耗量が第１の閾値に達すると、第１の通知方式により 、現在の装置の状態を通知し、前記消耗量が第２の閾値に達すると、第２の通知方式により、現在の装置の状態を通知し、前記消耗量が第３の閾値に達すると、第３の通知方式により、現在の装置の状態を通知するように構成され、
前記第１の閾値は前記第２の閾値よりも小さく、前記第２の閾値は前記第３の閾値よりも小さいことを特徴とする。
【００１８】
前記第２の態様の第１の方面に加え、第５の方面に係る状態通知装置は、
前記計算モジュールは、前記目標装置の毎回のオンオフ時間を取得し、前記目標装置の毎回のオンオフ時間を累算して前記目標装置の理論使用時間を取得し、前記目標装置の理論使用時間及び前記目標装置の使用寿命により、前記目標装置の現在の消耗量を計算するように構成されることを特徴とする。
【００１９】
前記第２の態様の第１の方面に加え、第６の方面に係る状態通知装置は、
前記目標装置の環境データを取得する第２の取得モジュールをさらに含み、
前記計算モジュールは、前記目標装置の毎回のオンオフ時間内の環境データによって毎回オンオフする時間の環境の重みを確定し、前記目標装置の毎回のオンオフ時間及び対応する環境の重みの積を累算して前記目標装置の実際使用時間を取得し、前記目標装置の実際使用時間、及び前記目標装置の使用寿命により、前記目標装置の現在の消耗量を計算するように構成されることを特徴とする。
【００２０】
前記第２の態様の第１の方面に加え、第７の方面に係る状態通知装置は、
前記目標装置の作業レベルを取得する第３の取得モジュールをさらに含み、
前記計算モジュールは、前記目標装置の毎回のオンオフ時間内の作業レベルによって毎回オンオフする時間のレベルの重みを確定し、前記目標装置の毎回のオンオフ時間及び対応するレベル重みの積を累算して前記目標装置の実際使用時間を取得し、前記目標装置の実際使用時間、及び前記目標装置の使用寿命により、前記目標装置の現在の消耗量を計算するように構成されることを特徴とする。
【００２１】
前記第２の態様の第１の方面に加え、第８の方面に係る状態通知装置は、
前記目標装置の作業面積を取得する第４の取得モジュールをさらに含み、
前記計算モジュールは、前記目標装置の毎回のオンオフ時間内の作業面積によって毎回オンオフする時間の面積の重みを確定し、前記目標装置の毎回のオンオフ時間及び対応する面積の重みの積を累算して前記目標装置の実際使用時間を取得し、前記目標装置の実際使用時間、及び前記目標装置の使用寿命により、前記目標装置の現在の消耗量を計算するように構成されることを特徴とする。
【００２２】
第２の態様の第１の方面から第８の方面に加え、第９の方面に係る状態通知装置は、
ユーザーアカウントの消費記録を取得する第５の取得モジュールと、
前記現在の消耗量、前記使用情報及び前記ユーザーアカウントの消費記録によって、前記目標装置の交替警告消耗量を確定する確定モジュールと、
消耗量が前記交替警告消耗量に達すると、購入ショートカットオプションを表示する表示モジュールとをさらに含み、
前記購入ショートカットオプションは、前記目標装置の購入リンクに移行するためのものであることを特徴とする。
【００２３】
前記第２の態様の第９の方面に加え、第１０の方面に係る状態通知装置は、
前記確定モジュールは、前記使用情報及び前記現在の消耗量によって残り使用日数を確定し、前記ユーザーアカウントの消費記録中の売り手の出荷先住所及びユーザーの受取先住所によって配送時間を確定し、前記残り使用日数及び前記配送時間によって、前記目標装置の交換早期警報の消耗量を確定するように構成されることを特徴とする。
【００２４】
本発明の第３の態様に係る状態通知装置は、
プロセッサと、
プロセッサが実行可能な命令を記憶するメモリとを含み、
前記プロセッサは、
目標装置の使用情報を取得し、
前記目標装置の使用情報によって、前記目標装置の現在の消耗量を計算し、
前記消耗量が所定の消耗通知閾値に達すると、現在の装置の状態を通知するように構成され、
前記使用情報は、少なくとも前記目標装置の毎回のオンオフ時間を含むことを特徴とする。
本発明の第４の態様に係るプログラムは、
プロセッサに実行されることにより、上記の状態通知方法を実現することを特徴とする。
本発明の第５の態様に係る記録媒体は、
上記プログラムが記録されることを特徴とする。
【発明の効果】
【００２５】
本発明の実施形態に係る技術方案によれば、以下のような有益な効果を獲得することができる。
即ち、
少なくとも目標装置の毎回のオンオフ時間を含む使用情報を取得し、目標装置の使用情報によって目標装置の現在の消耗量を計算し、消耗量が所定の消耗量通知閾値に達すると、現在の装置の状態を通知する。目標装置の現在の消耗量は、使用情報によって計算されて取得したものであるので、ユーザーの使用経験よりも正確であり、消耗量が所定の消耗通知閾値に達すると、ユーザーに適時に通知して、目標装置が常に正常の動作状態になるように確保することができる。
【図面の簡単な説明】
【００２６】
なお、以上の一般的な記載及び後述の詳細な記述は単に例示的なものに過ぎず、本発明を限定しようとするものではない。
添付された図面は、明細書に合併されて明細書の一部になり、本発明に合致する実施形態を示し、明細書と一緒に本発明の原理を説明する。
【００２７】
【図１】本発明の実施形態に係る状態通知方法を示すフローチャートである。
【図２】本発明の実施形態に係る状態通知方法を示すフローチャートである。
【図３】本発明の実施形態に係る端末の表示インターフェースを示す説明図である。
【図４】本発明の実施形態に係る端末の表示インターフェースを示す説明図である。
【図５】本発明の実施形態に係る端末の表示インターフェースを示す説明図である。
【図６】本発明の実施形態に係る端末の表示インターフェースを示す説明図である。
【図７】本発明の実施形態に係る状態通知装置の構造を示す説明図である。
【図８】本発明の実施形態に係る状態通知装置を示すブロック図である。
【発明を実施するための形態】
【００２８】
ここで、本発明の実施形態について詳細に説明し、その事例は図面に示される。以下の記述が図面に関連するときに、別の表示がない場合、異なる図の同じ番号は同じ又は似ている要素を表示する。以下の一実施形態で述べた実施形態は、本発明と一致したすべての実施形態を代表するものではなく、添付された特許請求の範囲に記載された本発明のいくつかの方面と一致した装置及び方法の例である。
【００２９】
図１は、本発明の実施形態による状態通知方法のフローチャートである。図１に示すように、状態通知方法は、端末に適用され、以下のようなステップを含む。
ステップＳ１０１：目標装置の使用情報を取得する。使用情報は、少なくとも目標装置の毎回のオンオフ時間を含む。
ステップＳ１０２：目標装置の使用情報によって、目標装置の現在の消耗量を計算する。
ステップＳ１０３：消耗量が所定の消耗通知閾値に達すると、現在の装置の状態を通知する。
【００３０】
本発明の実施形態による方法は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は、使用情報によって計算されて取得したものであるため、ユーザーの使用経験より、もっと正確であり、消耗量が所定の消耗通知閾値に達すると、適時にユーザーに通知することにより、目標装置が常に正常に作動するように確保することができる。
【００３１】
本発明の実施形態では、目標装置の使用情報を取得するステップは、
ブルートゥース機能を作動させて、ブルートゥース接続を介して目標装置の使用情報を取得するステップ、又は
近距離無線通信ＮＦＣ機能を動作させて、ＮＦＣデータチャンネルを介して目標装置の使用情報を取得するステップ、又は
ルータが転送した目標装置の使用情報を受信するステップを含む。
【００３２】
本発明の実施形態では、消耗量が所定の消耗通知閾値に達すると、現在の装置の状態を通知するステップは、
データ表示ページを表示するステップと、
データ表示ページが表示された消耗量に基づき、消耗量が所定の消耗通知閾値に達すると、現在の装置の状態を通知するステップとを含み、
前記データ表示ページは、目標装置の現在の消耗量を表示するために用いられる。
【００３３】
本発明の実施形態では、消耗量が所定の消耗通知閾値に達すると、現在の装置の状態を通知するステップは、
消耗量が第１の閾値に達すると、第１の通知方式により 、現在の装置の状態を通知するステップと、
消耗量が第２の閾値に達すると、第２の通知方式により、現在の装置の状態を通知するステップと、
消耗量が第３の閾値に達すると、第３の通知方式により、現在の装置の状態を通知するステップを含む。
ここで、第１の閾値は第２の閾値よりも小さく、第２の閾値は、第３の閾値よりも小さい。
【００３４】
本発明の実施形態では、目標装置の使用情報によって、目標装置の現在の消耗量を計算するステップは、
目標装置の毎回のオンオフ時間を取得するステップと、
目標装置の毎回のオンオフ時間を累算して目標装置の理論使用時間を取得するステップと、
目標装置の理論使用時間及び目標装置の使用寿命により、目標装置の現在の消耗量を計算するステップとを含む。
【００３５】
本発明の実施形態では、当該方法は、
目標装置の環境データを取得するステップをさらに含み、
目標装置の使用情報によって、目標装置の現在の消耗量を計算するステップは、
目標装置の毎回のオンオフ時間内の環境データによって、毎回オンオフする時間の環境の重みを確定するステップと、
目標装置の毎回のオンオフ時間及び対応する環境の重みの積を累算して目標装置の実際使用時間を取得するステップと、
目標装置の実際使用時間及び目標装置の使用寿命により、目標装置の現在の消耗量を計算するステップとを含む。
【００３６】
本発明の実施形態では、当該方法は、
目標装置の作業レベルを取得するステップをさらに含み、
目標装置の使用情報によって、目標装置の現在の消耗量を計算するステップは、
目標装置の毎回のオンオフ時間内の作業レベルによって、毎回オンオフする時間のレベルの重みを確定するステップと、
目標装置の毎回のオンオフ時間及び対応するレベルの重みの積を累算して目標装置の実際使用時間を取得するステップと、
目標装置の実際使用時間及び目標装置の使用寿命により、目標装置の現在の消耗量を計算するステップを含む。
【００３７】
本発明の実施形態では、当該方法は、
目標装置の作業面積を取得する方法をさらに含み、
目標装置の使用情報によって、目標装置の現在の消耗量を計算するステップは、
目標装置の毎回のオンオフ時間内の作業面積によって、毎回オンオフする時間の面積の重みを確定するステップと、
目標装置の毎回のオンオフ時間及び対応する面積の重みの積を累算して目標装置の実際使用時間を取得するステップと、
目標装置の実際使用時間及び目標装置の使用寿命により、目標装置の現在の消耗量を計算するステップを含む。
【００３８】
本発明の実施形態では、当該方法は、
ユーザーアカウントの消費記録を取得するステップと、
現在の消耗量、使用情報及びユーザーアカウントの消費記録によって、目標装置の交替警告消耗量を確定するステップと、
消耗量が交替警告消耗量に達すると、購入ショートカットオプションを表示するステップとを含み、
前記購入ショートカットオプションは、目標装置の購入リンクに移行するために用いられる。
【００３９】
本発明の実施形態では、現在の消耗量、使用情報及びユーザーアカウントの消費記録によって、目標装置の交替警告消耗量を確定するステップは、
使用情報及び現在の消耗量によって、残り使用日数を確定するステップと、
ユーザーアカウントの消費記録中の売り手の出荷先住所及びユーザーの受取先住所によって配送時間を確定するステップと、
残り使用日数及び配送時間によって、目標装置の交替警告消耗量を確定するステップとを含む。
【００４０】
上述した選択可能なすべての技術案は、任意の結合により、本発明の選択可能な実施形態を形成することができるが、ここでは言及しない。
【００４１】
図２は、本発明の実施形態による状態通知方法を示すフローチャートである。図２に示すような状態通知方法は、端末に適用され、以下のようなステップを含む。
【００４２】
ステップＳ２０１：目標装置の使用情報を取得する。
ここで、端末は、携帯電話、タブレットＰＣなどであってもよい。また、目標装置は、空気清浄機などであってもよい。本実施形態は、端末や、目標装置のタイプについて具体的に限定しない。
【００４３】
端末と目標装置が備えた機能がそれぞれ異なるので、端末の使用情報を取得する過程は、以下のような状況に分けることができる。
【００４４】
本発明の実施形態では、目標装置は、記録機能を備えて、オンオフ回数、毎回オンオフする時間及び作業レベルを自動的に記録することができる。また、携帯電話は、照会機能を備えて、クラウドから空気品質を照会することができ、相応の環境データを取得することができる。
【００４５】
本発明の他の実施形態では、目標装置は、記録及びモニターリング機能をさらに具備して、オンオフ回数、毎回オンオフする時間、オンオフするレベルを自動的に記録することができ、毎回オンオフする時間内の空気品質をモニターリングして、空気品質を表示する環境データを取得することができ、取得した各種データを端末に出力することができる。また、端末は、記憶機能を備えて、目標装置が出力した各種データを記憶することができる。
【００４６】
本発明のまた他の実施形態では、目標装置は、記録、モニターリング、記憶機能をさらに具備して、オンオフ回数、毎回オンオフする時間及び作業レベルを自動的に記録し、毎回オンオフする時間内の空気品質をモニターリングして、環境データを取得し、取得したデータをメモリ、フラッシュメモリなどの記憶ユニットに記憶することができる。また、端末は、データ取得能力を備えて、目標装置から少なくとも目標装置の毎回のオンオフ時間などを含む使用情報を取得することができる。
【００４７】
本実施形態では、端末と目標装置は、ＲＦ（Ｒａｄｉｏ Ｆｒｅｑｕｅｎｃｙ）又はネットワークを介して他の装置と通信する能力を備える。この能力に基づき、目標装置の使用情報を取得する場合、端末は、ブルートゥース機能を作動し、ブルートゥース接続を介して目標装置と通信することができ、通信過程で目標装置の使用情報を取得することができる。また、端末もＮＦＣ機能を動作し、目標装置とＮＦＣデータチャンネルを確立し、ＮＦＣデータチャンネルを介して目標装置の使用情報を取得することができる。また、端末は、ルータを介して目標装置と無線ＬＡＮ（Ｌｏｃａｌ Ａｒｅａ Ｎｅｔｗｏｒｋ）を確立し、ＬＡＮ内で、ルータが転送した目標装置の使用情報を受信することもできる。なお、前記のいくつかの方式の他に、端末は他の方式を採用して目標装置の使用情報を取得することもできるが、ここでは言及しない。
【００４８】
ステップＳ２０２：端末は、目標装置の使用情報によって目標装置の現在の消耗量を計算する。
目標装置の使用情報は、目標装置の実際使用状況を正確に反映することができる。端末は、目標装置の使用情報によって、目標装置の現在の消耗量を算出することができる。目標装置の現在の消耗量は、目標装置の状態を通知し、ユーザーに良い居住環境を提供する重要な要素であるため、目標装置の消耗が大きすぎて通常の操作を行うことができない状況を避けるために、端末は目標装置の使用情報を取得した後、目標装置の使用情報によって、目標装置の現在の消耗量を計算する。
【００４９】
端末は、目標装置の使用情報によって、目標装置の現在の消耗量を計算するときに以下のようなステップ（１）からステップ（３）を採用することができる。
【００５０】
（１）端末は、目標装置の使用情報から目標装置の毎回のオンオフ時間を取得する。
ここで、オンオフする時間は、オン時間やオフ時間であってもよいが、オンとオフの間の使用時間であってもよい。本発明のすべての実施形態では、オンオフ時間をオンとオフの間の使用時間に設定される。端末は、使用情報に含まれている目標装置のオンオフ時間に基づき、目標装置の使用情報から目標装置のオンオフ時間を直接取得することができる。
【００５１】
（２）端末は、取得した目標装置の毎回のオンオフ時間を累算して目標装置の理論使用時間を取得する。
端末は、他の外的要因の影響を考慮しない状況で、取得した目標装置の毎回のオンオフ時間を累算して目標装置の理論使用時間を取得することができる。
【００５２】
例えば、目標装置の毎回のオンオフ時間を累算して目標装置の理論使用時間を取得する過程について、以下の表１に示した目標装置の使用情報を例として詳細に説明する。
【００５３】
【表１】
2017505896.tif 000016
【００５４】
表１から、端末は取得した目標装置が１０回オンオフする時間を累算して目標装置の理論使用時間＝３＋８＋４.５＋５.５＋１０＋１３＋５＋２＋３＋７=６２時間を取得する。
【００５５】
（３）端末は、目標装置の理論使用時間及び目標装置の使用寿命によって、目標装置の現在の消耗量を計算する。
【００５６】
本実施形態において、目標装置の使用寿命は、目標装置の性能を反映し、目標装置の製造元が目標装置をテストして取得した目標装置の平均寿命である。当該目標装置の使用寿命は３０００時間、５０００時間などであってもよい。端末は、目標装置の理論使用時間を取得した後、目標装置の理論使用時間と目標装置の使用寿命を比較して、目標装置の理論使用時間と目標装置の使用寿命の割合を取得して、目標装置の現在の消耗量を取得する。
【００５７】
例えば、目標装置の使用寿命が５０００時間であり、端末が取得した目標装置の毎回のオンオフ時間を累算して取得した目標装置の理論使用時間が３０００時間であれば、目標装置の現在の消耗量=目標装置の理論使用時間／目標装置の使用寿命=３０００／５０００=６０％である。即ち、目標装置の現在の消耗量は６０％である。
【００５８】
実際の応用において、目標装置の現在の消耗量は、例えば目標装置の作業環境、目標装置の作業レベル、目標装置の作業面積等の様々な要素と関連する。端末は、前記いくつかの要素の影響を考慮して、目標装置の現在の消耗量を計算する際、影響を与える要因によって、以下の（１）乃至（３）中のいずれか一つの状況に基づいて計算する。
【００５９】
（１）目標装置の作業環境を考慮する。
本実施形態では、目標装置が異なる環境で作業するとき、目標装置の消耗量は異なる。例えば、良好な環境で作業するときの目標装置の消耗量が比較的小さく、劣悪な環境での作業のとき、目標装置の消耗量が比較的大きい。また、本実施形態では、異なる環境が目標装置の消耗量への影響を容易に計算するために、異なる環境ごとに対応する環境データは異なる。ここで、目標装置の環境データは、微粒子の濃度データ、汚染物質の濃度データなどであってもよい。
【００６０】
本実施形態では、クラウドに環境データが記憶されることができ、端末にも環境データが記憶されることができるので、環境データがクラウドに記憶されると、端末は、クラウドから環境データを取得することができる。また、環境データが端末に記憶されると、端末は、それ自体の記憶ユニットから環境データを直接取得することができる。
【００６１】
目標装置の現在の消耗量をより正確に計算するために、端末は、取得した環境データに基づき、目標装置の使用情報によって、目標装置の現在の消耗量を計算する際に、以下の（１．１）〜（１．３）のプロセスを採用することができる。
【００６２】
（１．１）端末は、目標装置の毎回のオンオフ時間内の環境データによって、毎回オンオフする時間の環境の重みを確定する。
【００６３】
本実施形態に提供される方法は、目標装置の現在の消耗量を計算する前に、目標装置の所在地の環境に対して、長期間モニターリングして、目標装置の所在地の代表的ないくつかの環境データを取得し、環境データが表示する環境品質によって、異なる環境データごとに異なる環境の重みを付与する。具体的には、異なる環境データごとに異なる環境の重みを付与する際、環境品質が良好な環境データに比較的小さな環境の重みを付与し、環境品質が比較的悪い環境データに比較的大きな環境の重みを付与する。異なる環境データごとに異なる環境の重みを付与することで、環境データと環境の重みの間に対応関係が形成される。そして、後の応用が容易になるように、本実施形態に係る方法は、異なる環境データごとに異なる環境の重みを設定した後、環境データと環境の重みの対応関係をさらに記憶する。環境データと環境の重みの対応関係を記憶する場合、端末は、環境データと環境の重みの対応関係をローカルに記憶してもよいが、クラウドに記憶してもよい。
【００６４】
環境データと環境の重みの対応関係に基づき、端末は、目標装置の毎回のオンオフ時間内の環境データを取得した後、環境データと環境の重みの対応関係から、毎回オンオフする時間内の環境の重みを照会することができる。
【００６５】
（１．２）端末は、目標装置の毎回のオンオフ時間及び対応する環境の重みの積を累算して目標装置の実際使用時間を取得する。
【００６６】
目標装置の実際使用時間は、目標装置が毎回オンオフ時間に関連するだけではなく、毎回オンオフする時間に対応する環境の重みとも関連するので、目標装置の毎回のオンオフ時間及び対応する環境の重みの積を累算して、目標装置の実際使用時間を取得することができる。
【００６７】
例えば、端末が、目標装置の毎回オンオフする時間と対応する環境の重みの積を累算して目標装置の実際使用時間を取得する過程について、以下の表２に示される目標装置の使用情報と対応する環境の重みを例として詳細に説明する。
【００６８】
【表２】
2017505896.tif 000017
【００６９】
前記表２に示したデータに基づき、目標装置の実際使用時間＝５×３＋３×２＋７×４＋２.５×２＋４×３＝６６時間である。
【００７０】
（１．３）端末は、目標装置の実際使用時間及び目標装置の使用寿命によって、目標装置の現在の消耗量を計算する。
【００７１】
目標装置の実際使用時間を取得した後、端末は、目標装置の実際使用時間と目標装置の使用寿命の割合を取得して目標装置の現在の消耗を取得する。
【００７２】
例えば、目標装置の使用寿命が５０００時間であり、端末が取得した目標装置の毎回のオンオフ時間及び対応する環境の重みの積を累算して取得した目標装置の実際使用時間が１０００時間であれば、目標装置の現在の消耗量=目標装置の実際使用時間／目標装置の使用寿命=１０００／５０００=２０％、即ち、目標装置の現在の消耗量は２０％である。
【００７３】
（２）目標装置の作業レベルを考慮する。
本実施形態において、目標装置の作業レベルは、一般的なレベル、強力レベル、睡眠レベルなどである。目標装置が、異なる作業レベルで作業するとき、目標装置の消耗量が異なる。例えば、目標装置が一般的レベルで作業するときの目標装置の消耗量が比較的小さく、目標装置が強力レベルで作業するときの目標装置の消耗量が比較的大きく、目標装置が睡眠レベルで作業するときの目標装置の消耗量が最も小さい。
【００７４】
本実施形態において、目標装置は、作業レベルを記憶することができ、端末も作業レベルを記憶することができる。作業レベルが目標装置に記憶される場合、端末は、ブルートゥースや、ＮＦＣなどを介して、目標装置から作業レベルを取得することができ、作業レベルが端末に記憶される場合、端末は、それ自体の記憶ユニットから直接作業レベルを取得することができる。
【００７５】
目標装置の現在の消耗量をより正確に計算するために、取得した作業レベルに基づき、端末は、目標装置の使用情報によって、目標装置の現在の消耗量を計算する際に、以下の（２．１）〜（２．３）を採用する。
【００７６】
（２．１）端末は、目標装置の毎回のオンオフ時間内の作業レベルによって、毎回オンオフする時間のレベルの重みを確定する。
【００７７】
本実施形態に係る方法は、目標装置の現在の消耗量を計算する前に、端末は、異なる作業レベルごとに異なるレベルの重みを設定する。具体的に設定するとき、端末は、強力レベルに最大のレベルの重みを設定し、睡眠レベルに最小のレベルの重みを設定し、一般的なレベルに両方間のレベルの重みを設定する。例えば、強力レベルに設定したレベルの重みが５であり、一般的なレベルに設定したレベルの重みが３であり、睡眠レベルに設定したレベルの重みが１である。異なる作業レベルごとに異なるレベルの重みを設定することで、作業レベルとレベルの重みの間に対応関係が形成される。そして、その後の応用が容易になるように、本実施形態に係る方法は、異なる作業レベルごとに異なるレベルの重みを設定した後、作業レベルとレベルの重みの対応関係をさらに記憶する。作業レベルとレベルの重みの対応関係を記憶するときに、端末は、作業レベルとレベルの重みの対応関係をローカルに記憶してもよいが、クラウドに記憶してもよい。
【００７８】
作業レベルとレベルの重みの対応関係に基づき、端末は、目標装置の毎回のオンオフ時間内の作業レベルを取得した後、作業レベルとレベルの重みの対応関係から、毎回オンオフする時間内のレベルの重みを照会することができる。
【００７９】
（２．２）端末は、目標装置の毎回のオンオフ時間及び対応するレベルの重みの積を累算して目標装置の実際使用時間を取得する。
【００８０】
目標装置の実際使用時間は、目標装置が毎回オンオフ時間に関連するだけではなく、毎回オンオフする時間に対応するレベルの重みとも関連するので、目標装置の毎回のオンオフ時間及び対応するレベルの重みの積を累算して目標装置の実際使用時間を取得する。
【００８１】
例えば、端末は、目標装置の毎回オンオフする時間と対応するレベルの重みの積を累算して目標装置の実際使用時間を取得する過程について、以下の表３に示した目標装置の使用情報と対応するレベルの重みを例として詳細に説明する。
【００８２】
【表３】
2017505896.tif 000018
【００８３】
前記表３に示したデータに基づき、目標装置の実際使用時間＝５×３＋３×１＋７×２＋２.５×２＋４×１＝４１時間である。
【００８４】
（２．３）端末は、目標装置の実際使用時間及び目標装置の使用寿命によって、目標装置の現在の消耗量を計算する。
【００８５】
目標装置の実際使用時間を取得した後、端末は、目標装置の実際使用時間と目標装置の使用寿命の割合を取得して目標装置の現在の消耗を取得する。
【００８６】
例えば、目標装置の使用寿命が５０００時間であり、端末が取得した目標装置の毎回のオンオフ時間及び対応するレベルの重みの積を累算して取得した目標装置の実際使用時間が４０００時間であれば、目標装置の現在の消耗量=目標装置の実際使用時間／目標装置の使用寿命=４０００／５０００=８０％、即ち、目標装置の現在の消耗量は８０％である。
【００８７】
（３）目標装置の作業面積を考慮する。
目標装置が空気清浄機である場合を例とすると、作業面積が空気清浄機の浄化面積であり、作業面積が２０ｍ２、３０ｍ２、５０ｍ２などである場合もある。本実施形態では、目標装置の作業面積が異なり、目標装置の消耗量も異なる。目標装置の作業面積が比較的大きいと、目標装置の消耗量が比較的大きく、目標装置の作業面積が比較的小さいと、目標装置の消耗量が比較的小さい。
【００８８】
本実施形態において、目標装置は、作業面積を記憶することができ、端末も作業面積を記憶することができる。作業面積が目標装置に記憶されると、端末は、ブルートゥース、ＮＦＣなどを介して、目標装置から作業面積を取得することができ、作業面積が端末に記憶されると、端末は、それ自体の記憶ユニットから作業面積を取得することができる。
【００８９】
目標装置の現在の消耗量をより正確に計算するために、取得した作業面積に基づき、端末は、目標装置の使用情報によって、目標装置の現在の消耗量を計算する際に、以下の（３．１）〜（３．３）を採用する。
【００９０】
（３．１）端末は、目標装置の毎回のオンオフ時間内の作業面積によって、毎回オンオフする時間の面積の重みを確定する。
【００９１】
本実施形態に係る方法は、目標装置の現在の消耗量を計算する前に、端末は、異なる作業面積ごとに異なる面積の重みを設定する。具体的に設定するとき、作業面積が大きいほど、端末が設定した面積の重みが大きい。例えば、作業面積が２０ｍ２であれば、端末の設定面積の重みは１であり、作業面積が５０ｍ２であれば、端末の設定面積の重みは３であり、作業面積が１００ｍ２であれば、端末の設定面積の重みは５などである。そして、その後の応用を容易になるように、本実施形態に係る方法は、異なる作業面積ごとに異なる面積の重みを設定した後、作業面積と面積の重みの対応関係をさらに記憶する。作業面積と面積の重みの対応関係を記憶する場合、端末は、作業面積と面積の重みの対応関係をローカルに記憶してもよいが、クラウドに記憶してもよい。
【００９２】
作業面積と面積の重みの対応関係に基づき、端末は、目標装置の毎回のオンオフ時間内の作業面積を取得した後、作業面積と面積の重みの対応関係から、毎回オンオフする時間内の面積の重みを照会することができる。
【００９３】
（３．２）端末は、目標装置の毎回のオンオフ時間及び対応する面積の重みの積を累算して目標装置の実際使用時間を取得する。
【００９４】
目標装置の実際使用時間は、目標装置が毎回オンオフ時間に関連するだけではなく、毎回オンオフする時間に対応する面積の重みとも関連するので、目標装置の毎回のオンオフ時間及び対応する面積の重みの積を累算して目標装置の実際使用時間を取得する。
【００９５】
例えば、端末が目標装置の毎回オンオフする時間と対応する面積の重みの積を累算して目標装置の実際使用時間を取得する過程について、以下の表４に示した目標装置の使用情報と対応する面積の重みを例として詳細に説明する。
【００９６】
【表４】
2017505896.tif 000019
【００９７】
前記表４に示したデータに基づき、目標装置の実際使用時間＝５×１＋３×２＋７×２＋２.５×２＋４×１＝３４時間である。
【００９８】
（３．３）端末は、目標装置の実際使用時間及び目標装置の使用寿命によって、目標装置の現在の消耗量を計算する。
【００９９】
目標装置の実際使用時間を取得した後、端末は、目標装置の実際使用時間と目標装置の使用寿命の割合を取得して目標装置の現在の消耗量を取得する。
【０１００】
例えば、目標装置の使用寿命が５０００時間であり、端末が取得した目標装置の毎回のオンオフ時間及び対応する面積の重みの積を累算して取得した目標装置の実際使用時間が３０００時間であれば、目標装置の現在の消耗量=目標装置の実際使用時間／目標装置の使用寿命=３０００／５０００=６０％、即ち、目標装置の現在の消耗量は６０％である。
【０１０１】
前記の計算は、目標装置が一つの要素の影響下での現在の消耗量を計算する過程である。目標装置は、実際の作業中、前記いくつかの要素の影響を同時に受けることも可能である。即ち、目標装置が作業するとき、前記少なくとも二つの要素の影響を受けることができる。このとき、端末は、目標装置の現在の消耗量を計算するとき、目標装置の毎回オンオフする時間と対応する重みの積を累算して目標装置の実際使用時間を取得し、さらに目標装置の実際使用時間及び目標装置の使用寿命によって、目標装置の現在の消耗量を計算する。
【０１０２】
前記の過程に対して、理解を容易にするために、以下の表５を例として説明する。
【０１０３】
【表５】
2017505896.tif 000020
【０１０４】
前記表５に示される端末が取得した目標装置の使用情報に基づき、目標装置の実際使用時間＝５×３×１＋３×２×２＋７×４×２＋２.５×２×２＋４×３×１=１０５時間である。もし目標装置の使用寿命が２００時間であれば、目標装置の現在の消耗量=１０５／２００=５２.５％、即ち、目標装置の現在の消耗量は５２.５％である。
【０１０５】
前記重みの計算などは例示的に過ぎず、実際には、他のいくつかの影響を与える要素に基づく計算方法もあるが、ここでは言及しない。
【０１０６】
ステップＳ２０３：消耗量が所定の消耗通知閾値に達すると、端末は、現在の装置の状態を通知する。
【０１０７】
ここで、所定の消耗通知閾値が目標装置の消耗量のキーポイントであり、目標装置に対するテストを経て取得したものである。もっと人間性に富んだ通知を実現するために、当該所定の消耗通知閾値は第１の閾値、第２の閾値、第３の閾値等を含む。本実施形態では、第１の閾値は第２の閾値よりも小さく、第２の閾値は第３の閾値よりも小さい。第１の閾値に対応する目標装置の消耗量は比較的小さく、当該第１の閾値は１２％、１０％などであってもよい。第２の閾値に対応する目標装置の消耗量は比較的大きく、当該第２の閾値は３０％、２０％などであってもよい。第３の閾値に対応する目標装置の消耗量は非常に大きく、当該第３の閾値は６０％、５０％などであってもよい、本実施形態では、第１の閾値、第２の閾値、第３の閾値に対して具体的に限定しない。
【０１０８】
本実施形態では、目標装置の現在の消耗量を計算した後、端末は、表示インターフェースにデータ表示ページを表示する。ここで、当該データ表示ページは、目標装置の現在の消耗量を表示するために用いられる。通知の効率を向上させるために、端末がデータ表示ページに目標装置の現在の消耗量を表示する場合、目標装置の作業レベルが変化するときに表示してもよいが、目標装置がオンオフするときに表示してもよい。
【０１０９】
目標装置の現在の状態を適時に通知して目標装置が正常に作業しない状況を避けるために、目標装置の現在の消耗量が所定の消耗通知閾値に達すると、端末は、目標装置の現在の状態を通知する。所定の消耗通知閾値が第１の閾値、第２の閾値及び第３の閾値を含むので、所定の消耗通知閾値ごとに対して、端末は、目標装置の現在の状態を通知する際に、以下のような三つの態様を採用する。
【０１１０】
第１の態様
目標装置の現在の消耗量が第１の閾値に達すると、目標装置の消耗量が比較的小さい。このとき、目標装置は比較的長い時間で正常に使用することができ、端末は、第１の通知方式により 、現在の装置の状態を通知することができる。
【０１１１】
ここで、第１の通知方式の通知レベルは低いので、一般的な通知方式を採用して通知することができる。例えば、表示カラーを変換したり、表示フォントに太字などを採用することができる。図３を例として、第１の閾値をａ％に設定し、目標装置の現在の消耗量がａ％に達すると、端末は、フォントを太字にする方式を採用して、データ表示ページに「現在の消耗量がａ％であり、第１の閾値に到達した」と表示する。
【０１１２】
第２の態様
目標装置の現在の消耗量が第２の閾値に達すると、目標装置の消耗量が比較的大きい。このとき、目標装置は比較的短い時間で正常に使用することができ、端末は、第２の通知方式により、現在の装置の状態を通知することができる。
【０１１３】
ここで、第２の通知方式の通知レベルは中級であり、一般的な通知方式に加えて通知マークを採用することができる。例えば、カラーを変換して表示するとともに通知マークを追加するとか、表示フォントを太字にするとともに通知マークを追加するなどが挙げられる。通知マークはチェックマーク、三角マークなどであってもよい。図４を例に挙げて、第１の閾値をｂ％に設定し、目標装置の現在の消耗量がｂ％に達すると、端末は、フォントを太字に表示するとともに、通知マークである三角を追加する方式を採用して、データ表示ページに「現在消耗量がｂ％であり、第２の閾値に到達した」と表示する。
【０１１４】
第３の態様
目標装置の現在の消耗量が第３の閾値に達すると、目標装置の消耗量が非常に大きい。このとき、目標装置が使用寿命にすぐ到達するので、端末は、第３の通知方式により、現在の装置の状態を通知して、ユーザーに注意を引き起こす。
【０１１５】
ここで、第３の通知方式の通知レベルは高いので、緊急通知マークをスクロール表示する方式を採用する。緊急通知マークは感嘆符マーク、フラグマークなどである。図５を例に挙げて、第３の閾値をｃ％に設定し、目標装置の現在の消耗量がｃ％に達すると、端末は、フラグマークがスクロール表示される方式を採用して、データ表示ページに「現在の消耗量がｃ％であり、第３の閾値に到達した」と表示する。
【０１１６】
Ｓ２０４ステップ：消耗量が交替警告消耗量に達すると、端末は、目標装置を購入するためのショートカットオプションを表示する。
【０１１７】
目標装置を常に正常な作業状態にさせて、ユーザーに良い居住環境を提供するために、本実施形態では、端末は目標装置の現在の消耗量が交替警告消耗量に到達したと計算した後、目標装置を購入するためのショートカットキーオプションをさらに表示する。ショートカットオプションが選択されたことを検出した後、端末は現在の表示されたデータ表示ページを目標装置の購入リンクに移行し、ユーザーは当該購入リンクを介して目標装置を購入することができる。
【０１１８】
本実施形態において、交替警告消耗量は、目標装置が通常の作業を維持することができる最小消耗量であり、交替警告消耗量に達した後、ユーザーが目標装置を適時に交換しないと、目標装置は正常に作業することができなくなる。交換早期警報消耗の重要性に基づき、端末が交替警告消耗量を確定するとき、以下のような態様を採用することができる。
【０１１９】
まず、端末は、ユーザーアカウントの消費記録を取得する。
ユーザーがネットワークを介して照会するとき、ユーザーアカウントにユーザーの消耗情報が記録される。例えば、ユーザーの消耗時間、購入物品、売り手の出荷先住所、ユーザーの受取先住所などが記録される。このような情報が消費情報である。例えば、装置の名称などの目標装置のキーワードによって、端末は、ユーザーアカウントの多くの消費記録から目標装置に対応する消費記録を照会して、当該消費記録を取得する。
【０１２０】
そして、端末は、現在の消耗量、使用情報及びユーザーアカウントの消費記録によって、目標装置の交替警告消耗量を確定する。
【０１２１】
端末は、現在の消耗量、使用情報及びユーザーアカウントの消費記録によって、目標装置の交換早期警報の消耗量を確定するとき、以下の（１）〜（３）を採用する。
【０１２２】
（１）端末は、使用情報及び現在の消耗量によって、残り使用日数を確定する。
本実施形態において、使用情報は、目標装置のオンオフ時間、オンオフ回数などを含む。使用情報に含まれる内容に基づき、端末は、使用情報中のオンオフ回数によって、ユーザーの使用頻度を確定し、使用情報中のオンオフ時間によって、ユーザーの使用強度を確定し、ユーザーの使用頻度及びユーザーの使用強度によって、目標装置の毎日の消耗量を計算する。最後、目標装置の現在の消耗量及び目標装置の毎日の消耗量に基づき、目標装置の残り使用日数を計算する。
【０１２３】
なお、前記態様を採用して残り使用日数を確定する以外に、端末は予め残り使用日数を設定してもよい。例えば、端末は、残り使用日数を６日、８日などに設定することができる。
【０１２４】
（２）ユーザーアカウントの消費記録中の売り手の出荷先住所及びユーザーの受取先住所によって、配送時間を確定する。
ユーザーアカウントの消費記録に記憶された売り手の出荷先住所及びユーザーの受取先住所に基づき、端末は、従来の輸送状況によって、売り手の出荷先住所からユーザーの受取先住所までの配送時間を確定する。なお、端末は、予め所定の物流日数をさらに設定してもよい。また、所定の物流日数を配送時間としてもよい。ここで、所定の物流日数は３日、５日などである。
【０１２５】
（３）残り使用日数及び配送時間によって、目標装置の交替警告消耗量を確定する。
目標装置の残り使用日数によって、端末は、目標装置の毎日の消耗量を取得することができる。目標装置の売り手からユーザーまでの物流日数を考慮し、目標装置が正常に作業することを前提として、端末は、目標装置の交換早期警報消耗量を確定することができる。
【０１２６】
例えば、目標装置の残り使用日数が７日であり、目標装置の現在の消耗量が７９％であれば、目標装置の毎日の消耗量は３％である。また、ユーザーアカウントの消費記録中の売り手の出荷先住所及びユーザーの受取先住所によって配送時間が３日に確定されると、当該３日内における目標装置の消耗量は９％である。目標装置が正常に作業するように、端末は消耗量９％を交替警告消耗量に確定することができる。
【０１２７】
前記Ｓ２０４ステップの内容について、理解を容易にするために、図６を例に挙げて説明する。
図６に示すように、端末は、現在の消耗量、使用情報及びユーザーアカウントの消費記録によって、目標装置の交替警告消耗量をｄ％に確定する。目標装置の現在の消耗量がｄ％であれば、端末は、データ表示ページにショートカットオプションを表示する。そして、ショートカットオプションが選択されたことが検出されると、端末はデータ表示ページから目標装置の購入リンクに移行する。ユーザーは、当該購入リンクを介して、目標装置を購入することができる。
【０１２８】
本発明の実施形態による方法は、少なくとも目標装置の毎回のオンオフ時間を含む使用情報を取得し、目標装置の使用情報によって目標装置の現在の消耗量を計算し、消耗量が所定の消耗通知閾値に達すると、 現在の装置の状態を通知する。目標装置の現在の消耗量が使用情報によって計算されるため、ユーザーの使用経験よりも正確であり、消耗量が所定の消耗通知閾値に達すると、適時にユーザーに通知して目標装置が正常に作業するように確保することができる。これに加え、目標装置の現在の消耗量が交替警告消耗量に達すると、端末はショートカットオプションを表示し、ユーザーは、当該ショートカットオプションを介して、目標装置を迅速に購入することができ、ユーザーの対応を向上させることができる。
【０１２９】
図７は、本発明の実施形態に係る状態通知装置を示す説明図である。図７を参照すると、当該装置は、第１の取得モジュール７０１、計算モジュール７０２及び通知モジュール７０３を含む。
【０１３０】
当該第１の取得モジュール７０１は、目標装置の使用情報を取得するように構成される。ここで、使用情報は、少なくとも目標装置の毎回のオンオフ時間を含む。
【０１３１】
当該計算モジュール７０２は、目標装置の使用情報によって目標装置の現在の消耗量を計算するように構成される。
【０１３２】
当該通知モジュール７０３は、消耗量が所定の消耗通知閾値に達すると、現在の装置の状態を通知するように構成される。
【０１３３】
本発明の実施形態では、当該第１の取得モジュール７０１は、ブルートゥース機能を作動させて、ブルートゥース接続を介して目標装置の使用情報を取得するように構成されるか、又は近距離無線通信ＮＦＣ機能を動作させて、ＮＦＣデータチャンネルを介して目標装置の使用情報を取得するように構成されるか、又はルータが転送した目標装置の使用情報を受信するように構成される。
【０１３４】
本発明の実施形態では、当該通知モジュール７０３は、データ表示ページを表示するように構成される。ここで、データ表示ページは、目標装置の現在の消耗量を表示するために用いられる。データ表示ページに表示される消耗量に基づき、消耗量が所定の消耗通知閾値に達すると、現在の装置の状態を通知する。
【０１３５】
本発明の実施形態では、当該通知モジュール７０３は、消耗量が第１の閾値に達すると、第１の通知方式により、現在の装置の状態を通知し、消耗量が第２の閾値に達すると、第２の通知方式により、現在の装置の状態を通知し、消耗量が第３の閾値に達すると、第３の通知方式を採用し、現在の装置の状態を通知するように構成される。
ここで、第１の閾値は第２の閾値よりも小さく、第２の閾値は、第３の閾値よりも小さい。
【０１３６】
本発明の実施形態では、当該計算モジュール７０２は、目標装置の毎回のオンオフ時間を取得し、目標装置の毎回のオンオフ時間を累算して目標装置の理論使用時間を取得し、目標装置の理論使用時間及び目標装置の使用寿命により目標装置の現在の消耗量を計算するように構成される。
【０１３７】
本発明の実施形態では、当該装置は、第２の取得モジュールをさらに含む。
当該第２の取得モジュールは、目標装置の環境データを取得するように構成される。
当該計算モジュール７０２は、目標装置の毎回のオンオフ時間内の環境データによって、毎回オンオフする時間の環境の重みを確定し、目標装置の毎回のオンオフ時間及び対応する環境の重みの積を累算して目標装置の実際使用時間を取得し、目標装置の実際使用時間及び目標装置の使用寿命によって、目標装置の現在の消耗量を計算するように構成される。
【０１３８】
本発明の実施形態では、当該装置は、第３の取得モジュールをさらに含む。
当該第３の取得モジュールは、目標装置の作業レベルを取得するように構成される。
当該計算モジュール７０２は、目標装置の毎回オンオフする時間内の作業レベルによって、毎回オンオフする時間のレベルの重みを確定し、目標装置の毎回のオンオフ時間及び対応するレベルの重みの積を累算して目標装置の実際使用時間を取得し、目標装置の実際使用時間及び目標装置の使用寿命によって、目標装置の現在の消耗量を計算するように構成される。
【０１３９】
本発明の実施形態では、当該装置は、第４の取得モジュールをさらに含む。
当該第４の取得モジュールは、目標装置の作業面積を取得するように構成される。
当該計算モジュール７０２は、目標装置の毎回のオンオフ時間内の作業面積によって、毎回オンオフする時間の面積の重みを確定し、目標装置の毎回オンオフする時間と対応する面積の重みの積を累算して目標装置の実際使用時間を取得し、目標装置の実際使用時間及び目標装置の使用寿命によって、目標装置の現在の消耗量を計算するように構成される。
【０１４０】
本発明の実施形態では、当該装置は、第５の取得モジュール、確定モジュール及び表示モジュールをさらに含む。
当該第５の取得モジュールは、ユーザーアカウントの消費記録を取得するように構成される。
当該確定モジュールは、現在の消耗、使用情報及びユーザーアカウントの消費記録によって、目標装置の交換早期警報消耗量を確定するように構成される。
当該表示モジュールは、消耗量が交替警告消耗量に達すると、購入ショートカットオプションを表示するように構成される。購入ショートカットオプションは、目標装置の購入リンクに移行するために用いられる。
【０１４１】
本発明の実施形態では、当該確定モジュールは、使用情報及び現在の消耗量によって残り使用日数を確定し、ユーザーアカウントの消費記録中の売り手の出荷先住所及びユーザーの受取先住所によって配送時間を確定し、残り使用日数及び配送時間によって、目標装置の交換早期警報消耗量を確定するように構成される。
【０１４２】
本発明の実施形態に係る装置は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるため、ユーザーの使用経験よりももっと正確であり、消耗量が所定の消耗通知閾値に達すると、ユーザーに適時に通知して、目標装置が常に正常に作動するように確保することができる。
【０１４３】
前記実施形態の装置において、それぞれのモジュールが操作を実行する具体的な態様は、当該方法の実施形態ですでに詳細に説明したので、ここでは詳細に説明しない。
【０１４４】
図８は、本発明の実施形態に係る状態通知装置８００を示すブロック図である。例えば、装置８００は、携帯電話、コンピュータ、デジタル放送端末、メッセージ送受信装置、ゲームコンソール、タブレット装置、医療機器、ヘルス機器、ＰＤＡ(Ｐｅｒｓｏｎａｌ Ｄｉｇｉｔａｌ Ａｓｓｉｓｔａｎｔ)などであってもよい。
【０１４５】
図８を参照すると、装置８００は、処理ユニット８０２、メモリ８０４、電源ユニット８０６、マルチメディアユニット８０８、オーディオユニット８１０、入出力（Ｉ／Ｏ）インターフェース８１２、センサユニット８１４と通信ユニット８１６のうちの１つ以上を含むことができる。
【０１４６】
処理ユニット８０２は、通常、装置８００の全体的な操作、例えば、表示、携帯電話の呼び出し、データ通信、カメラ操作や記録操作に関連する操作を制御する。処理ユニット８０２は、前記方法の全部又は一部のステップを完了するように１つ以上のプロセッサ８２０を含んで命令を実行する。また、処理ユニット８０２は、他のモジュールとの相互作用を便利にするように、１つ以上のモジュールを含むことができる。例えば、処理ユニット８０２は、マルチメディアユニット８０８と処理ユニット８０２との間の相互作用を便利にするように、マルチメディアモジュールを含んでもよい。
【０１４７】
メモリ８０４は、様々なタイプのデータを記憶して、装置８００での操作をサポートするように配置される。このようなデータは、例えば、装置８００で操作される任意のアプリケーションプログラム、又は方法の命令、連絡先のデータ、電話帳データ、メッセージ、画像、動画などを含む。また、メモリ８０４は、いずれのタイプの揮発性又は非揮発性記憶装置、又はこれらの組み合わせで実現することができる。例えば、ＳＲＡＭ(Ｓｔａｔｉｃ Ｒａｎｄｏｍ Ａｃｃｅｓｓ Ｍｅｍｏｒｙ)、ＥＥＰＲＯＭ(Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ)、ＥＰＲＯＭ(Ｅｒａｓａｂｌｅ Ｐｒｏｇｒａｍｍａｂｌｅ Ｒｅａｄ-Ｏｎｌｙ Ｍｅｍｏｒｙ)、ＰＲＯＭ(Ｐｒｏｇｒａｍｍａｂｌｅ Ｒｅａｄ-Ｏｎｌｙ Ｍｅｍｏｒｙ)、ＲＯＭ(Ｒｅａｄ-Ｏｎｌｙ Ｍｅｍｏｒｙ)、磁気メモリ、フラッシュメモリ、ディスク、又はＣＤであってもよい。
【０１４８】
電源ユニット８０６は、装置８００の様々なユニットに消耗量を提供する。電源ユニット８０６は、電源管理システム、１つ以上の電源や他の装置８００のための消耗量の生成、管理、及び分配に係るモジュールを含むことができる。
【０１４９】
マルチメディアユニット８０８は、前記装置８００とユーザーの間に出力インターフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサを含んで、タッチや、スライドや、パネル上手の動きを感知する。前記タッチセンサは、タッチやスライド動作の境界を測定することができるだけではなく、前記タッチやスライド操作に関連する持続時間や圧力を測定することができる。一部の実施形態では、マルチメディアユニット８０８は、１つのフロントカメラ、及び/又はバックカメラを含むことができる。装置８００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【０１５０】
オーディオユニット８１０は、オーディオ信号を出力及び/又は入力するように配置される。例えば、オーディオユニット８１０は、１つのマイク（ＭＩＣ）を含んでもよい。装置７００が操作モードに設定される場合、例えば、呼び出しモード、記録モード、音声識別モードの場合、マイクは、外部オーディオ信号を受信するように配置される。受信されたオーディオ信号は、メモリ８０４に格納されるか、通信ユニット８１６を経て送信することができる。一部の実施形態では、オーディオユニット８１０は、１つのスピーカーを含み、オーディオ信号を出力する。
【０１５１】
Ｉ／Ｏインターフェース８１２は、処理ユニット８０２と周辺インターフェースモジュールとの間にインターフェースを提供する。前記周辺インターフェースモジュールは、キーボード、クリックホイール、ボタンなどあってもよい。これらのボタンは、ホームページボタン、ボリュームボタン、操作ボタン、ロックボタンを含むが、これに限定しない。
【０１５２】
センサユニット８１４は、１つ以上のセンサを含み、装置８００の各方面の状態の評価を提供することができる。例えば、センサユニット８１４は、装置８００のＯＮ/ＯＦＦの状態、モジュールの相対的な位置を測定することができる。例えば、前記モジュールは、装置８００のモニターや小さなキーボードであってもよい。センサユニット８１４は、装置８００又は装置８００の１つのユニットの位置の変化、ユーザーと装置８００が接触したか、装置８００の方位又は加速/減速、装置８００の温度変化を測定することができる。センサユニット８１４は、接近センサを含んで、何の物理的な接触がない状況でも近くの物体の存在を測定するように配置される。センサユニット８１４は、例えば、ＣＭＯＳ（Ｃｏｍｐｌｅｍｅｎｔａｒｙ Ｍｅｔａｌ-Ｏｘｉｄｅ-Ｓｅｍｉｃｏｎｄｕｃｔｏｒ）又はＣＣＤ（Ｃｈａｒｇｅ-Ｃｏｕｐｌｅｄ Ｄｅｖｉｃｅ）イメージセンサなどの光センサが含まれて、画像形成に使用される。このような実施形態では、センサモジュール８１４は、加速度センサ、ジャイロスコープセンサ、磁気センサ、圧力センサ、又は温度センサをさらに含んでもよい。
【０１５３】
通信ユニット８１６は、装置８００と他の装置間で有線又は無線方式で便利に通信するように配置される。装置８００は、通信規格に基づいた、例えばＷｉＦｉ、２Ｇ又は４Ｇ又はこれらの組み合わせなどの無線インターネットにアクセスすることができる。一実施形態では、通信ユニット８１６は、放送チャンネルを経て外部の放送管理システムからの放送信号又は放送に関連する情報を受信する。一実施形態では、前記通信ユニット８１６には、ＮＦＣ通信モジュールが含まれて、短距離通信を促進することができる。例えば、ＮＦＣモジュールはＲＦＩＤ(Ｒａｄｉｏ Ｆｒｅｑｕｅｎｃｙ Ｉｄｅｎｔｉｆｉｃａｔｉｏｎ)技術、ＩｒＤＡ(Ｉｎｆｒａｒｅｄ Ｄａｔａ Ａｓｓｏｃｉａｔｉｏｎ)技術、ＵＷＢ(Ｕｌｔｒａ-Ｂａｎｄｗｉｄｔｈ)技術、ＢＴ（Ｂｌｕｅｔｏｏｔｈ(登録商標)）技術やその他の技術に基づいて実現することができる。
【０１５４】
一実施形態では、装置８００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔｓ）、ＤＳＰ（Ｄｉｇｉｔａｌ Ｓｉｇｎａｌ Ｐｒｏｃｅｓｓｏｒｓ）、ＤＳＰＤ（Ｄｉｇｉｔａｌ Ｓｉｇｎａｌ Ｐｒｏｃｅｓｓｉｎｇ Ｄｅｖｉｃｅｓ）、ＰＬＤ（Ｐｒｏｇｒａｍｍａｂｌｅ Ｌｏｇｉｃ Ｄｅｖｉｃｅｓ）、ＦＰＧＡ（Ｆｉｅｌｄ Ｐｒｏｇｒａｍｍａｂｌｅ Ｇａｔｅ Ａｒｒａｙｓ）、コントローラ、マイクロコントローラ、マイクロプロセッサ、又はその他の電子素子で実現され、前記方法を実行する。
【０１５５】
一実施形態では、命令を含む非一時性コンピュータ読取可能な記憶媒体、例えば、命令を含むメモリ８０４を提供する。前記命令は、装置８００のプロセッサ８２０によって実行され、前記方法を完成する。例えば、前記非一時性コンピュータ読取可能な記憶媒体はＲＯＭ、ＲＡＭ（Ｒａｎｄｏｍ Ａｃｃｅｓｓ Ｍｅｍｏｒｙ）、ＣＤ−ＲＯＭ、磁気テープ、フロッピー（登録商標）ディスク、及び光データ記憶装置などであってもよい。
【０１５６】
本発明の実施形態に係る装置は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるので、ユーザーの使用経験よりももっと正確であり、消耗量が所定の消耗通知閾値に達すると、適時にユーザーに通知して、目標装置が常に正常に作動するように確保することができる。
【０１５７】
また、非一時性コンピュータ読取可能な記憶媒体は、前記記録媒体中の命令がモバイル端末のプロセッサによって実行されると、モバイル端末が状態通知方法を実行することができる。前記の方法は、
目標装置の使用情報を取得するステップと、
目標装置の使用情報によって目標装置の現在の消耗量を計算するステップと、
消耗量が所定の消耗通知閾値に達すると、現在の装置の状態を通知するステップを含み、
ここで、使用情報は、少なくとも目標装置の毎回のオンオフ時間を含む。
【０１５８】
本発明の実施形態では、目標装置の使用情報を取得するステップは、
ブルートゥース機能を作動させて、ブルートゥース接続を介して目標装置の使用情報を取得するステップ、又は
近距離無線通信ＮＦＣ機能を作動して、ＮＦＣデータチャンネルを介して目標装置の使用情報を取得するステップ、又は
ルータが転送した目標装置の使用情報を受信するステップを含む。
【０１５９】
本発明の実施形態では、消耗量が所定の消耗通知閾値に達すると、現在の装置の状態を通知するステップは、
データ表示ページを表示するステップと、
データ表示ページが表示した消耗量に基づき、消耗量が所定の消耗通知閾値に達すると、現在の装置の状態を通知するステップとを含み、
ここで、データ表示ページは、目標装置の現在の消耗量を表示するために用いられる。
【０１６０】
本発明の実施形態では、消耗量が所定の消耗通知閾値に達すると、現在の装置の状態を通知するステップは、
消耗量が第１の閾値に達すると、第１の通知方式により 、現在の装置の状態を通知するステップと、
消耗量が第２の閾値に達すると、第２の通知方式により、現在の装置の状態を通知するステップと、
消耗量が第３の閾値に達すると、第３の通知方式により、現在の装置の状態を通知するステップを含む。
ここで、第１の閾値は第２の閾値よりも小さく、第２の閾値は第３の閾値よりも小さい。
【０１６１】
本発明の実施形態では、目標装置の使用情報によって目標装置の現在の消耗量を計算するステップは、
目標装置の毎回オンオフする時間を取得するステップと、
目標装置の毎回のオンオフ時間を累算して目標装置の理論使用時間を取得するステップと、
目標装置の理論使用時間及び目標装置の使用寿命により、目標装置の現在の消耗量を計算するステップとを含む。
【０１６２】
本発明の実施形態では、当該方法は、
目標装置の環境データを取得するステップをさらに含む。
目標装置の使用時間によって目標装置の現在の消耗量を計算するステップは、
目標装置の毎回のオンオフ時間内の環境データによって毎回オンオフする時間の環境の重みを確定するステップと、
目標装置の毎回のオンオフ時間及び対応する環境の重みの積を累算して目標装置の実際使用時間を取得するステップと、
目標装置の実際使用時間及び目標装置の使用寿命によって、目標装置の現在の消耗量を計算するステップを含む。
【０１６３】
本発明の実施形態では、当該方法は、
目標装置の作業レベルを取得するステップをさらに含む。
目標装置の使用情報によって目標装置の現在の消耗量を計算するステップは、
目標装置の毎回オンオフする時間内の作業レベルによって、毎回オンオフする時間のレベルの重みを確定するステップと、
目標装置の毎回のオンオフ時間及び対応するレベルの重みの積を累算して目標装置の実際使用時間を取得するステップと、
目標装置の実際使用時間及び目標装置の使用寿命によって、目標装置の現在の消耗量を計算するステップを含む。
【０１６４】
本発明の実施形態により、当該方法は、
目標装置の作業面積を取得するステップをさらに含む。
目標装置の使用情報によって目標装置の現在の消耗量を計算するステップは、
目標装置の毎回オンオフする時間内の作業面積によって、毎回オンオフする時間の面積の重みを確定するステップと、
目標装置の毎回オンオフする時間と対応する面積の重みの積を累算して目標装置の実際使用時間を取得するステップと、
目標装置の実際使用時間及び目標装置の使用寿命によって、目標装置の現在の消耗量を計算するステップを含む。
【０１６５】
本発明の実施形態では、当該方法は、
ユーザーアカウントの消費記録を取得するステップをさらに含む。
現在の消耗量、使用情報及びユーザーアカウントの消費記録によって、目標装置の交替警告消耗量を確定するステップと、
消耗量が交替警告消耗量に達すると、購入ショートカットオプションを表示するステップとを含む。
ここで、購入ショートカットオプションは、目標装置の購入リンクに移行するために用いられる。
【０１６６】
本発明の実施形態では、現在の消耗量、使用情報及びユーザーアカウントの消費記録によって、目標装置の交替警告消耗量を確定するステップは、
使用情報及び現在の消耗量によって、残り使用日数を確定するステップと、
ユーザーアカウントの消費記録中の売り手の出荷先住所及びユーザーの受取先住所によって配送時間を確定するステップと、
残り使用日数及び配送時間によって目標装置の交替警告消耗量を確定するステップとを含む。
【０１６７】
本発明の実施形態に係る非一時性コンピュータ読取可能な記憶媒体は、少なくとも目標装置の毎回のオンオフ時間を含む使用情報を取得し、目標装置の使用情報によって目標装置の現在の消耗量を計算し、消耗量が所定の消耗通知閾値に達すると、現在の装置の状態を通知する。目標装置の現在の消耗量は使用情報によって計算されるため、ユーザーの使用経験よりももっと正確であり、消耗量が所定の消耗通知閾値に達すると、適時にユーザーに通知して、目標装置が常に正常に作動するように確保することができる。
【０１６８】
本発明が属する技術分野の通常の知識を有する者は、明細書を考慮して、発明を実践した後、本発明の他の実施方式に簡単に想到することができる。本発明の趣旨は、本発明の任意の変形、用途、又は適応性の変化を含む。このような変形、用途、又は適応性の変化は、本発明の一般的な原理を遵守し、かつ本発明が公開されていない本技術分野の公知の常識や慣用技術手段を含む。明細書及び実施形態は、単に例示的で、本発明の真の範囲と精神は特許請求の範囲で提出する。
【０１６９】
理解することは、本発明は、既に記述が作成された図面で示されている構造に限定されず範囲を逸脱していない状況で、各種の変更を行うことができる。本発明の範囲は、単に添付された特許請求の範囲に制限する。
【０１７０】
本願発明は、出願番号が２０１４１０８５２６０９.１で出願日が２０１４年１２月３１日中国特許出願を基礎として優先権を主張して、当該中国特許出願の内容全体は、本願発明に援用する。
【手続補正２】
【補正対象書類名】特許請求の範囲
【補正対象項目名】全文
【補正方法】変更
【補正の内容】
【特許請求の範囲】
【請求項１】
目標装置の使用情報を取得するステップと、
前記目標装置の使用情報によって、前記目標装置の現在の消耗量を計算するステップと、
前記消耗量が所定の消耗通知閾値に達すると、現在の装置の状態を通知するステップとを含み、
前記使用情報は、少なくとも前記目標装置の毎回のオンオフ時間を含むことを特徴とする状態通知方法。
【請求項２】
前記目標装置の使用情報を取得するステップは、
ブルートゥース機能を作動させて、ブルートゥース接続を介して、前記目標装置の使用情報を取得するステップ、又は
近距離無線通信ＮＦＣ機能を作動させて、ＮＦＣデータチャンネルを介して、前記目標装置の使用情報を取得するステップ、又は
ルータが転送した前記目標装置の使用情報を受信するステップを含むことを特徴とする請求項１に記載の状態通知方法。
【請求項３】
前記消耗量が所定の消耗通知閾値に達すると、現在の装置の状態を通知するステップは、
データ表示ページを表示するステップと、
前記データ表示ページが表示された消耗量に基づき、前記消耗量が所定の消耗通知閾値に達すると、現在の装置の状態を通知するステップとを含み、
前記データ表示ページは、前記目標装置の現在の消耗量を表示するためのものであることを特徴とする請求項１に記載の状態通知方法。
【請求項４】
前記消耗量が所定の消耗通知閾値に達すると、現在の装置の状態を通知するステップは、
前記消耗量が第１の閾値に達すると、第１の通知方式により 、現在の装置の状態を通知するステップと、
前記消耗量が第２の閾値に達すると、第２の通知方式により、現在の装置の状態を通知するステップと、
前記消耗量が第３の閾値に達すると、第３の通知方式により、現在の装置の状態を通知するステップとを含み、
前記第１の閾値は前記第２の閾値よりも小さく、前記第２の閾値は前記第３の閾値よりも小さいことを特徴とする請求項３に記載の状態通知方法。
【請求項５】
前記目標装置の使用情報によって、前記目標装置の現在の消耗量を計算するステップは、
前記目標装置の毎回のオンオフ時間を取得するステップと、
前記目標装置の毎回のオンオフ時間を累算して前記目標装置の理論使用時間を取得するステップと、
前記目標装置の理論使用時間、及び前記目標装置の使用寿命により、前記目標装置の現在の消耗量を計算するステップとを含むことを特徴とする請求項１に記載の状態通知方法。
【請求項６】
前記目標装置の環境データを取得するステップをさらに含み、
前記目標装置の使用情報によって、前記目標装置の現在の消耗量を計算するステップは、
前記目標装置の毎回のオンオフ時間内の環境データによって、毎回オンオフする時間の環境の重みを確定するステップと、
前記目標装置の毎回のオンオフ時間及び対応する環境の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする請求項１に記載の状態通知方法。
【請求項７】
前記目標装置の作業レベルを取得するステップをさらに含み、
前記目標装置の使用情報によって、前記目標装置の現在の消耗量を計算するステップは、
前記目標装置の毎回のオンオフ時間内の作業レベルによって、毎回オンオフするレベルの重みを確定するステップと、
前記目標装置の毎回のオンオフ時間及び対応するレベルの重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする請求項１に記載の状態通知方法。
【請求項８】
前記目標装置の作業面積を取得するステップをさらに含み、
前記目標装置の使用情報によって、前記目標装置の現在の消耗量を計算するステップは、
前記目標装置の毎回のオンオフ時間内の作業面積によって、毎回オンオフする時間の面積の重みを確定するステップと、
前記目標装置の毎回のオンオフ時間及び対応する面積の重みの積を累算して前記目標装置の実際使用時間を取得するステップと、
前記目標装置の実際使用時間、及び前記目標装置の使用寿命により、前記目標装置の現在の消耗量を計算するステップとを含むことを特徴とする請求項１に記載の状態通知方法。
【請求項９】
ユーザーアカウントの消費記録を取得するステップと、
前記現在の消耗量、前記使用情報及び前記ユーザーアカウントの消費記録によって、前記目標装置の交替警告消耗量を確定するステップと、
前記消耗量が前記交替警告消耗量に達すると、購入ショートカットオプションを表示するステップとを含み、
前記購入ショートカットオプションは、前記目標装置の購入リンクに移行するためのものであることを特徴とする請求項１から請求項８のいずれか１項に記載の状態通知方法。
【請求項１０】
前記現在の消耗量、前記使用情報及び前記ユーザーアカウントの消費記録によって、前記目標装置の交替警告消耗量を確定するステップは、
前記使用情報及び前記現在の消耗量によって、残り使用日数を確定するステップと、
前記のユーザーアカウントの消費記録中の売り手の出荷先住所及びユーザーの受取先住所によって、配送時間を確定するステップと、
前記残り使用日数及び前記配送時間によって、前記目標装置の前記交替警告消耗量を確定するステップとを含むことを特徴とする請求項９に記載の状態通知方法。
【請求項１１】
目標装置の使用情報を取得する第１の取得モジュールと、
前記目標装置の使用情報によって、前記目標装置の現在の消耗量を計算する計算モジュールと、
前記消耗量が所定の消耗通知閾値に達すると、現在の装置の状態を通知する通知モジュールとを含み、
前記使用情報は、少なくとも前記目標装置の毎回のオンオフ時間を含むことを特徴とする状態通知装置。
【請求項１２】
前記第１の取得モジュールは、ブルートゥース機能を作動させて、ブルートゥース接続を介して前記目標装置の使用情報を取得したり、
近距離無線通信ＮＦＣ機能を動作させて、ＮＦＣデータチャンネルを介して前記目標装置の使用情報を取得したり、
ルータが転送した前記目標装置の使用情報を受信するように構成されることを特徴とする請求項１１に記載の状態通知装置。
【請求項１３】
前記通知モジュールは、データ表示ページを表示し、前記データ表示ページが表示された消耗量に基づき、前記消耗量が所定の消耗通知閾値に達すると、現在の装置の状態を通知するように構成され、
前記データ表示ページは、前記目標装置の現在の消耗量を表示するためのものであることを特徴とする請求項１１に記載の状態通知装置。
【請求項１４】
前記通知モジュールは、前記消耗量が第１の閾値に達すると、第１の通知方式により 、現在の装置の状態を通知し、前記消耗量が第２の閾値に達すると、第２の通知方式により、現在の装置の状態を通知し、前記消耗量が第３の閾値に達すると、第３の通知方式により、現在の装置の状態を通知するように構成され、
前記第１の閾値は前記第２の閾値よりも小さく、前記第２の閾値は前記第３の閾値よりも小さいことを特徴とする請求項１３に記載の状態通知装置。
【請求項１５】
前記計算モジュールは、前記目標装置の毎回のオンオフ時間を取得し、前記目標装置の毎回のオンオフ時間を累算して前記目標装置の理論使用時間を取得し、前記目標装置の理論使用時間及び前記目標装置の使用寿命により、前記目標装置の現在の消耗量を計算するように構成されることを特徴とする請求項１１に記載の状態通知装置。
【請求項１６】
前記目標装置の環境データを取得する第２の取得モジュールをさらに含み、
前記計算モジュールは、前記目標装置の毎回のオンオフ時間内の環境データによって、毎回オンオフする時間の環境の重みを確定し、前記目標装置の毎回のオンオフ時間及び対応する環境の重みの積を累算して前記目標装置の実際使用時間を取得し、前記目標装置の実際使用時間、及び前記目標装置の使用寿命により、前記目標装置の現在の消耗量を計算するように構成されることを特徴とする請求項１１に記載の状態通知装置。
【請求項１７】
前記目標装置の作業レベルを取得する第３の取得モジュールをさらに含み、
前記計算モジュールは、前記目標装置の毎回のオンオフ時間内の作業レベルによって、毎回オンオフする時間のレベルの重みを確定し、前記目標装置の毎回のオンオフ時間及び対応するレベルの重みの積を累算して前記目標装置の実際使用時間を取得し、前記目標装置の実際使用時間、及び前記目標装置の使用寿命により、前記目標装置の現在の消耗量を計算するように構成されることを特徴とする請求項１１に記載の状態通知装置。
【請求項１８】
前記目標装置の作業面積を取得する第４の取得モジュールをさらに含み、
前記計算モジュールは、前記目標装置の毎回のオンオフ時間内の作業面積によって、毎回オンオフする時間の面積の重みを確定し、前記目標装置の毎回のオンオフ時間及び対応する面積の重みの積を累算して前記目標装置の実際使用時間を取得し、前記目標装置の実際使用時間、及び前記目標装置の使用寿命により、前記目標装置の現在の消耗量を計算するように構成されることを特徴とする請求項１１に記載の状態通知装置。
【請求項１９】
ユーザーアカウントの消費記録を取得する第５の取得モジュールと、
前記現在の消耗量、前記使用情報及び前記ユーザーアカウントの消費記録によって、前記目標装置の交替警告消耗量を確定する確定モジュールと、
前記消耗量が前記交替警告消耗量に達すると、購入ショートカットオプションを表示する表示モジュールとをさらに含み、
前記購入ショートカットオプションは、前記目標装置の購入リンクに移行するためのものであることを特徴とする請求項１１から請求項１８のいずれか１項に記載の状態通知装置。
【請求項２０】
前記確定モジュールは、前記使用情報及び前記現在の消耗量によって残り使用日数を確定し、前記ユーザーアカウントの消費記録中の売り手の出荷先住所及びユーザーの受取先住所によって配送時間を確定し、前記残り使用日数及び前記配送時間によって、前記目標装置の交換早期警報の消耗量を確定するように構成されることを特徴とする請求項１９に記載の状態通知装置。
【請求項２１】
プロセッサと、
プロセッサが実行可能な命令を記憶するメモリとを含み、
前記プロセッサは、
目標装置の使用情報を取得し、
前記目標装置の使用情報によって前記目標装置の現在の消耗量を計算し、
前記消耗量が所定の消耗通知閾値に達すると、現在の装置の状態を通知するように構成され、
前記使用情報は、少なくとも前記目標装置の毎回のオンオフ時間を含むことを特徴とする状態通知装置。
【請求項２２】
プロセッサに実行されることにより、請求項１〜１０のいずれか１項に記載の状態通知方法を実現することを特徴とするプログラム。
【請求項２３】
請求項２２に記載のプログラムが記録された記録媒体。
【国際調査報告】
2017505896.tif 000021
2017505896.tif 000022
2017505896.tif 000023
2017505896.tif 000024